(57)【要約】【課題】新たな面白みのある遊技性を提供することができないということを課題とする。【解決手段】ＢＢ終了後に、再遊技に内部当籤する確率がＲＴ２遊技状態と比して高い状態であるＲＴ１遊技状態に移行する。そして、パチスロ機は、ＲＴ１遊技状態中において、チェリーを停止表示した場合には、リプレイに内部当籤する確率がＲＴ１遊技状態よりも低いＲＴ２遊技状態に移行する。一方、パチスロ機は、ＲＴ１遊技状態中において、所定の遊技回数（ＢＢ１終了後１５００回、またはＢＢ２終了後１０００回）が行われた場合には、リプレイに内部当籤する確率がＲＴ１遊技状態およびＲＴ２遊技状態よりも高い一般遊技状態に移行する。【選択図】        図１
2008206706.tif 000002
【特許請求の範囲】
【請求項１】
遊技者による所定の操作に応じて抽籤された乱数値が複数の役にそれぞれ対応する数値範囲のいずれに含まれるかを判別して当籤役を決定するとともに、水平方向に並列して並べられた各回胴上に図柄が配列された複数のリールを有し、前記遊技者による所定の操作に応じて変動開始された複数のリールを、前記当籤役および前記遊技者による所定の操作に応じて停止表示し、リール表示窓内の視認可能領域で遊技媒体の投入枚数に応じて規定される有効ライン上に停止表示された図柄の組合せに応じて、前記遊技者に所定の利益を付与する遊技機において、
所定の特別図柄が停止表示された場合には、遊技媒体の付与に係わる当籤役が決定される確率が高い複数の特別遊技状態のうちのいずれかを作動し、当該特別遊技状態の終了時には、再遊技に内部当籤する確率が一般遊技状態と比して高い状態である一次高確率再遊技状態に移行し、かつ、前記作動した特別遊技状態に応じた継続回数で当該一次高確率再遊技状態が継続するように制御する一次高確率再遊技状態移行手段と、
前記一次高確率再遊技状態中において、所定の当籤役に対応する図柄を停止表示した場合には、再遊技に内部当籤する確率が前記一次高確率再遊技状態と異なる二次高確率再遊技状態に移行するように制御する二次高確率再遊技状態移行手段と、
前記一次高確率再遊技状態中において、所定の遊技回数が行われた場合には、前記再遊技に内部当籤する確率が前記一次高確率再遊技状態および前記二次高確率再遊技状態と異なる三次高確率再遊技状態に移行するように制御する三次高確率再遊技状態移行手段と、
を備えたことを特徴とする遊技機。
【請求項２】
前記一次高確率再遊技状態、二次高確率再遊技状態および三次高確率再遊技状態のうちいずれかの遊技状態中に、前記所定の当籤役の当籤を報知する回数を示す報知ポイントが獲得可能な遊技状態であるポイント獲得遊技状態に移行するか否かを抽籤する移行抽籤手段と、
前記移行抽籤手段によって前記ポイント獲得遊技状態に移行すると抽籤された場合には、前記ポイント獲得遊技状態に移行して遊技に応じた報知ポイントを付与するポイント付与手段と、
前記一次高確率再遊技状態中において、前記ポイント付与手段によって付与された前記報知ポイントを消費して前記所定の当籤役の当籤を報知する当籤役報知手段と、
をさらに備えることを特徴とする請求項１に記載の遊技機。
【発明の詳細な説明】
【技術分野】
【０００１】
この発明は、遊技機に関する。
【背景技術】
【０００２】
従来より、メダル投入若しくはＢＥＴボタン押下後にスタートレバーを操作して機械的回転リール（以下、リールと記載する）を回転駆動させるとともに、各リールに対応したストップボタンを押下することによって各リールを停止させ、リール表示窓枠内に停止された図柄の組み合わせに応じてメダルを払い出すパチスロ機と呼ばれる遊技機が知られている。
【０００３】
このような遊技機の場合には、遊技に賭けられた単位遊技媒体当りに行うことが可能なゲームの回数を一定に保つため等の目的のために、入賞が成立すると遊技媒体を賭けることなく次のゲームを行うことが可能となる入賞役（以下「再遊技」という）が設けられた遊技機が現在の主流である。そして、この「再遊技」に内部当籤する確率が高い期間（以下「ＲＴ遊技状態」という）を発生させる機能を備えた遊技機が提供されている（例えば、特許文献１）。
【０００４】
この「ＲＴ遊技状態」は、一般にビックボーナス遊技状態またはレギュラーボーナス遊技状態が終了したときに発生する。具体的には、このような遊技機では、ビックボーナス遊技状態またはレギュラーボーナス遊技状態が終了すると、ＲＴ遊技状態が継続されるゲーム数を決定し、その決定されたゲーム数のＲＴ遊技が行われると、ＲＴ遊技状態を終了して一般遊技状態に移行する。
【０００５】
【特許文献１】特開２００１−１３７４３０号公報
【発明の開示】
【発明が解決しようとする課題】
【０００６】
ところで、上記した従来の技術では、ビックボーナス遊技状態またはレギュラーボーナス遊技状態後におけるＲＴ遊技状態の種類が一種類のみなので、遊技が単調となり、遊技者に対して遊技性の面で物足りないという課題があった。
【０００７】
そこで、この発明は、上述した従来技術の課題を解決するためになされたものであり、新たな面白みのある遊技性を提供することを目的とする。
【課題を解決するための手段】
【０００８】
上述した課題を解決し、目的を達成するため、請求項１に係る発明は、遊技者による所定の操作に応じて抽籤された乱数値が複数の役にそれぞれ対応する数値範囲のいずれに含まれるかを判別して当籤役を決定するとともに、水平方向に並列して並べられた各回胴上に図柄が配列された複数のリールを有し、前記遊技者による所定の操作に応じて変動開始された複数のリールを、前記当籤役および前記遊技者による所定の操作に応じて停止表示し、リール表示窓内の視認可能領域で遊技媒体の投入枚数に応じて規定される有効ライン上に停止表示された図柄の組合せに応じて、前記遊技者に所定の利益を付与する遊技機において、所定の特別図柄が停止表示された場合には、遊技媒体の付与に係わる当籤役が決定される確率が高い複数の特別遊技状態のうちのいずれかを作動し、当該特別遊技状態の終了時には、再遊技に内部当籤する確率が一般遊技状態と比して高い状態である一次高確率再遊技状態に移行し、かつ、前記作動した特別遊技状態に応じた継続回数で当該一次高確率再遊技状態が継続するように制御する一次高確率再遊技状態移行手段と、前記一次高確率再遊技状態中において、所定の当籤役に対応する図柄を停止表示した場合には、再遊技に内部当籤する確率が前記一次高確率再遊技状態と異なる二次高確率再遊技状態に移行するように制御する二次高確率再遊技状態移行手段と、前記一次高確率再遊技状態中において、所定の遊技回数が行われた場合には、前記再遊技に内部当籤する確率が前記一次高確率再遊技状態および前記二次高確率再遊技状態と異なる三次高確率再遊技状態に移行するように制御する三次高確率再遊技状態移行手段と、を備えたことを特徴とする。
【０００９】
本発明によれば、所定の特別図柄が停止表示された場合には、遊技媒体の付与に係わる当籤役が決定される確率が高い複数の特別遊技状態のうちのいずれかを作動し、特別遊技状態の終了時には、再遊技に内部当籤する確率が一般遊技状態と比して高い状態である一次高確率再遊技状態に移行し、かつ、作動した特別遊技状態に応じた継続回数で一次高確率再遊技状態が継続するように制御し、一次高確率再遊技状態中において、所定の当籤役に対応する図柄を停止表示した場合には、再遊技に内部当籤する確率が一次高確率再遊技状態と異なる二次高確率再遊技状態に移行するように制御し、一次高確率再遊技状態中において、所定の遊技回数が行われた場合には、再遊技に内部当籤する確率が一次高確率再遊技状態および二次高確率再遊技状態と異なる三次高確率再遊技状態に移行するように制御するので、多様な高確率再遊技状態を有し、所定の条件に応じて高確率遊技状態が変化するとともに、特別遊技状態の種別に応じて高確率遊技状態の継続する回数も異なる結果、新たな面白みのある遊技性を提供することが出来るようになる。
【００１０】
また、請求項２に係る発明は、上記の発明において、前記一次高確率再遊技状態、二次高確率再遊技状態および三次高確率再遊技状態のうちいずれかの遊技状態中に、前記所定の当籤役の当籤を報知する回数を示す報知ポイントが獲得可能な遊技状態であるポイント獲得遊技状態に移行するか否かを抽籤する移行抽籤手段と、前記移行抽籤手段によって前記ポイント獲得遊技状態に移行すると抽籤された場合には、前記ポイント獲得遊技状態に移行して遊技に応じた報知ポイントを付与するポイント付与手段と、前記一次高確率再遊技状態中において、前記ポイント付与手段によって付与された前記報知ポイントを消費して前記所定の当籤役の当籤を報知する当籤役報知手段と、をさらに備えることを特徴とする。
【００１１】
本発明によれば、一次高確率再遊技状態、二次高確率再遊技状態および三次高確率再遊技状態のうちいずれかの遊技状態中に、所定の当籤役の当籤を報知する回数を示す報知ポイントが獲得可能な遊技状態であるポイント獲得遊技状態に移行するか否かを抽籤し、ポイント獲得遊技状態に移行すると抽籤された場合には、ポイント獲得遊技状態に移行して遊技に応じた報知ポイントを付与し、一次高確率再遊技状態中において、付与された報知ポイントを消費して所定の当籤役の当籤を報知するので、所定の条件に応じて高確率遊技状態が変化するとともに、さらにポイント獲得遊技状態にも移行して遊技の多様性が増す結果、新たな面白みのある遊技性を提供することが出来るようになる。
【発明の効果】
【００１２】
本発明によれば、多様な高確率再遊技状態を有し、所定の条件に応じて高確率遊技状態が変化するとともに、特別遊技状態の種別に応じて高確率遊技状態の継続する回数も異なる結果、新たな面白みのある遊技性を提供することが可能である。
【発明を実施するための最良の形態】
【００１３】
以下に添付図面を参照して、本発明に係る遊技機の好適な実施例を詳細に説明する。なお、本発明はメダル、コイン、遊技球またはトークンなどを遊技媒体として用いる各種遊技機に適用することができるが、ここでは本発明をメダルを遊技媒体として用いるパチスロ機に適用した場合を示すこととする。
【実施例１】
【００１４】
以下の実施例では、実施例１に係るパチスロ機の概要および特徴、パチスロ機の構成および処理の流れを順に説明し、最後に実施例１による効果を説明する。なお、本明細書中において、メダルの払い出しがともなわない表示役や再遊技に関する表示役（例えば、ＢＢ１、ＢＢ２、ＲＢ）については、役が当籤したことを「成立」として表記し、メダルの払い出しがともなう表示役（ベルやスイカなどの小役）については、役が当籤したことを「入賞」として記載する。
【００１５】
［実施例１に係るパチスロ機の概要および特徴］
まず最初に、図１を用いて、実施例１に係るパチスロ機１の概要および特徴を説明する。図１は、実施例１に係るパチスロ機１の特徴を説明するための図である。
【００１６】
実施例１のパチスロ機１では、ＲＴ遊技状態が複数あり、所定の条件に応じて、ＲＴ（リプレイタイム）遊技状態の種類を変更するように制御することを概要とする。そして、このパチスロ機１では、新たな面白みのある遊技性を提供する点に主たる特徴がある。なお、以下に説明するＲＴ１遊技状態は、特許請求の範囲に記載の「一次高確率再遊技状態」に対応し、ＲＴ２遊技状態は、特許請求の範囲に記載の「二次高確率再遊技状態」に対応し、一般遊技状態は、特許請求の範囲に記載の「三次高確率再遊技状態」に対応する。
【００１７】
この主たる特徴について具体的に説明すると、パチスロ機１は、それぞれリプレイに当籤する確率が異なる複数の遊技状態（一般遊技状態、ＲＴ１遊技状態、ＲＴ２遊技状態）を有する。このような構成のもと、パチスロ機１は、図１に示すように、ＢＢ（ビックボーナス）１またはＢＢ２終了後に、再遊技に内部当籤する確率がＲＴ２遊技状態よりも高く、一般遊技状態より低い状態であるＲＴ１遊技状態に移行し、かつ、ＢＢ（ＢＢ１またはＢＢ２）の種別に応じた継続回数でＲＴ１遊技状態が継続するように制御する。具体的には、このＲＴ１遊技状態は、リプレイ当籤確率が約２．６分の１であり、チェリーが停止表示されない限り、所定の遊技数（ＢＢ１終了後１５００、またはＢＢ２終了後１０００）が継続される。
【００１８】
そして、パチスロ機１は、ＲＴ１遊技状態中において、チェリーを停止表示した場合には、リプレイに内部当籤する確率がＲＴ１遊技状態および一般遊技状態よりも低い状態であるＲＴ２遊技状態に移行するように制御する。このＲＴ２遊技状態は、リプレイ当籤確率が約７．３分の１であり、ＢＢが停止表示されない限り継続する。
【００１９】
一方、パチスロ機１は、ＲＴ１遊技状態中において、所定の遊技回数（ＢＢ１終了後１５００回、またはＢＢ２終了後１０００回）が行われた場合には、リプレイに内部当籤する確率がＲＴ１遊技状態およびＲＴ２遊技状態よりも高い状態である一般遊技状態に移行するように制御する。この一般遊技状態は、リプレイ当籤確率が約１．３分の１であり、ＲＴ１遊技状態およびＲＴ２遊技状態よりもリプレイ当籤確率が高い。
【００２０】
つまり、パチスロ機１では、ＲＴ１遊技状態中において、チェリーが停止表示されると、リプレイ当籤確率が低いＲＴ２遊技状態に移行し、一方、チェリーを停止表示せずに所定の遊技回数のゲームを消化した場合には、リプレイ当籤確率が高い一般遊技状態に移行するので、多様な遊技性が生じることとなり、遊技者による遊技のバリエーションが増える。
【００２１】
このように、パチスロ機１は、多様な高確率再遊技状態を有し、所定の条件に応じて高確率遊技状態が変化するとともに、特別遊技状態の種別に応じて高確率遊技状態の継続する回数も異なる結果、上記した主たる特徴のごとく、新たな面白みのある遊技性を提供することが可能である。
【００２２】
［パチスロ機の構成］
次に、図２を用いて、実施例１に係るパチスロ機１の外観構成について説明する。図２は、実施例１に係るパチスロ機１の外観構成を示す斜視図である。同図に示すように、このパチスロ機１の前面ドア２には、略垂直面をなすパネル表示部２ａ及び液晶表示部２ｂが設けられている。
【００２３】
この液晶表示部２ｂは、一般遊技状態、ナビポイント獲得遊技状態、ＲＴ１遊技状態およびＲＴ２遊技状態に移行することを報知する画像や内部当籤役を示唆する演出等を表示し、また、パチスロ遊技時の各種演出や待機時の表示等を行う。
【００２４】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば８０回転／分）で回転する。
【００２５】
パネル表示部２ａ及び液晶表示部２ｂの下方には、略水平面をなす台座部４が設けられている。この台座部４の右側には、メダルを投入するためのメダル投入口１０が設けられており、このメダル投入口１０に投入されたメダルは、クレジットされるか又はゲームに賭けられる。
【００２６】
また、台座部４の左側には、クレジットされているメダルを賭けるためのＢＥＴボタン１３が設けられている。このＢＥＴボタン１３は、いわゆるＭＡＸＢＥＴボタンであり、１回の押下操作によりクレジットされたメダルから１ゲームに賭け得る最大枚数のメダル（通常は３枚）が賭けられる。なお、本実施例ではＢＥＴボタン１３のみを設けた場合を示したが、いわゆる１枚賭け又は２枚賭けを行うための１−ＢＥＴボタン又は２−ＢＥＴボタンを設けることもできる。
【００２７】
かかるＢＥＴボタン１３を押下操作するか若しくは３枚のメダルがメダル投入口１０に投入されると、入賞ラインが有効化される。なお、ここでは、ＢＥＴボタン１３の押下操作又はメダル投入口１０へのメダル投入操作を「ＢＥＴ操作」と呼ぶこととする。
【００２８】
台座部４の前面部の左寄りには、遊技者がゲームで獲得したメダルをクレジットするか、クレジットしたメダルを払い出すかを押下操作で切り換えるＣ／Ｐボタン１４が設けられている。所定枚数のメダルがクレジットされた状態でＣ／Ｐボタン１４が押下されると、クレジットが無効化され該クレジットされた枚数分のメダルが正面下部のメダル払出口１５に払い出され、払い出されたメダルはメダル受け部５に投出される。また、クレジットが無効化された状態でこのＣ／Ｐボタン１４が押下されると、クレジットが有効となる。
【００２９】
Ｃ／Ｐボタン１４の右側には、遊技者の操作により上記リール３Ｌ〜３Ｒを回転駆動させ、図柄表示領域２１Ｌ，２１Ｃ，２１Ｒ内での図柄の変動表示を開始させるスタートレバー６が所定の角度範囲で回動自在に取り付けられている。
【００３０】
台座部４の前面部中央で、スタートレバー６の右側には、３個のリール３Ｌ，３Ｃ，３Ｒの回転をそれぞれ停止させるための３個の停止ボタン７Ｌ，７Ｃ，７Ｒが設けられている。なお、１ゲーム（単位遊技）は、スタートレバー６が操作されることによって開始され、全てのリール３Ｌ，３Ｃ，３Ｒが停止したときに終了する。
【００３１】
各停止ボタン７Ｌ，７Ｃ，７Ｒの裏側には、後述するように停止スイッチ７ＬＳ，７ＣＳ，７ＲＳが設けられている。これらの停止スイッチは、対応する停止ボタンの操作（停止操作）を検知する。
【００３２】
このパチスロ機１の上部には、左右対称にスピーカ９Ｌ，９Ｒが設けられており、これらのスピーカ９Ｌ，９Ｒから遊技の演出に関する効果音などを出音する。
【００３３】
続いて、図３を用いて、図２に示したパネル表示部２ａ及び液晶表示部２ｂについてさらに詳細に説明する。図３は、実施例１に係るパチスロ機１のパネル表示部２ａ及び液晶表示部２ｂを説明するための説明図である。
【００３４】
同図に示すように、パネル表示部２ａには、ボーナス遊技情報表示部１６、ＢＥＴランプ１７、払出表示部１８及びクレジット表示部１９が設けられている。このボーナス遊技情報表示部１６は、７セグメントＬＥＤにより形成されておりボーナス中の遊技情報を表示する。
【００３５】
ＢＥＴランプ１７ａ〜１７ｃは、１ゲームを行うために賭けられたメダル数（以下「ＢＥＴ数」と言う）に応じて点灯するランプであり、具体的には、ＢＥＴランプ１７ａはＢＥＴ数が１以上である場合に点灯し、ＢＥＴランプ１７ｂはＢＥＴ数が２以上である場合に点灯し、ＢＥＴランプ１７ｃはＢＥＴ数が３のときに点灯する。
【００３６】
払出表示部１８及びクレジット表示部１９は、それぞれ７セグメントのＬＥＤにより形成され、払出表示部１８には入賞が成立した時のメダル払出枚数が表示され、クレジット表示部１９にはクレジットされている残メダル枚数が表示される。通常は、パチスロ機１にクレジットされる最大枚数は５０枚であるので、このクレジット表示部１９に表示されるクレジット枚数は５０以下となる。なお、最大枚数の５０枚のメダルがクレジットされている状態で、メダルを投入してもそのまま払い出される。
【００３７】
液晶表示部２ｂは、図柄表示領域２１Ｌ，２１Ｃ，２１Ｒと、窓枠表示領域２２Ｌ，２２Ｃ，２２Ｒと、演出表示領域２３とで形成される。この液晶表示部２ｂの表示内容は、リール３Ｌ，３Ｃ，３Ｒの回転及び停止態様に応じて表示制御される。
【００３８】
図柄表示領域２１Ｌ，２１Ｃ，２１Ｒは、各リール３Ｌ，３Ｃ，３Ｒに対応して設けられており、リール３Ｌ，３Ｃ，３Ｒ上に配置された図柄の表示や種々の演出表示を行う。
【００３９】
この図柄表示領域２１Ｌ，２１Ｃ，２１Ｒには、水平方向にトップライン８ｂ、センターライン８ｃ及びボトムライン８ｄの入賞ラインが設けられ、斜め方向にクロスアップライン８ａ及びクロスダウンライン８ｅの入賞ラインが設けられる。遊技者がＢＥＴボタン１３を押下操作するか又は遊技者がメダル投入口１０に３枚のメダルを投入すると、これら５本の入賞ラインが有効となり、遊技者がメダル投入口１０に１枚又は２枚のメダルを投入した場合には、それぞれ１本（センターライン８ｃ）又は３本（トップライン８ｂ、センターライン８ｃ及びボトムライン８ｄ）の入賞ラインが有効となる。なお、ここでは、有効化された入賞ラインを「有効ライン」と呼ぶこととする。また、これらの入賞ライン８ａ〜８ｅは役の成否に関わる。
【００４０】
また、図柄表示領域２１Ｌ，２１Ｃ，２１Ｒは、それぞれに対応するリール３Ｌ，３Ｃ，３Ｒが回転中であり、各停止ボタン７Ｌ，７Ｃ，７Ｒが押下操作可能である場合には、遊技者がリール３Ｌ，３Ｃ，３Ｒ上の図柄を視認できるように透過状態となる。
【００４１】
窓枠表示領域２２Ｌ，２２Ｃ，２２Ｒは、リール３Ｌ，３Ｃ，３Ｒの前面に配置された図柄表示領域２１Ｌ，２１Ｃ，２１Ｒの窓枠を表したものであり、各図柄表示領域２１Ｌ，２１Ｃ，２１Ｒを囲むように設けられている。
【００４２】
演出表示領域２３は、液晶表示部２ｂの領域のうち、図柄表示領域２１Ｌ，２１Ｃ，２１Ｒ及び窓枠表示領域２２Ｌ，２２Ｃ，２２Ｒ以外の領域である。この演出表示領域２３は、ナビポイント獲得遊技中であることを報知する画像、内部当籤役を示唆する演出、ボーナスが成立可能であることを確定的に報知する画像（例えば、告知ランプ）の表示、ゲームの興趣を増大するための演出、遊技者がゲームを有利に進めるために必要な情報等の表示を行う。
【００４３】
続いて、図４を用いて、実施例１に係るパチスロ機１のリール３Ｌ，３Ｃ，３Ｒ上に表される図柄の一例について説明する。図４は、実施例１に係るパチスロ機１のリール３Ｌ，３Ｃ，３Ｒ上に表される図柄の一例を示す図である。同図に示すように、各リール３Ｌ，３Ｃ，３Ｒには、複数種類の図柄が２１個配列された図柄列が表わされており、各図柄には“００”〜“２０”のコードナンバーが付与され、データテーブルとして後述するＲＯＭ３２（図５）に記憶されている。
【００４４】
具体的には、各リール３Ｌ，３Ｃ，３Ｒ上には、“７”、“BAR”、“Replay”、“青チェリー”、“赤チェリー”、“黄チェリー”、“ブランク”、“スイカ”、及び“ベル”の図柄で構成される図柄列が表わされている。各リール３Ｌ，３Ｃ，３Ｒは、図柄列が図中に示した矢印方向に移動するように回転駆動される。
【００４５】
続いて、図５および図６を用いて、図２に示したパチスロ機１の内部構成について説明する。図５は、実施例１に係るパチスロ機１の内部構成を示すブロック図であり、図６は、実施例１に係る副制御回路７２の回路構成を示すブロック図である。
【００４６】
図５に示すように、このパチスロ機１は、パチスロ機１の遊技処理動作を制御する主制御回路７１と、この主制御回路７１に電気的に接続される周辺装置（アクチュエータ）と、主制御回路７１から送信される制御指令に基づいて液晶表示装置１３１、スピーカ９Ｌ，９Ｒ，ＬＥＤ類１０１及びランプ類１０２を制御する副制御回路７２とが含まれる。
【００４７】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３とを有する。なお、ＣＰＵ３１と、ＣＰＵ３１により制御される図３３などのメイン制御処理は、特許請求の範囲に記載の「一次高確率再遊技状態移行手段」、「二次高確率再遊技状態移行手段」および「三次高確率再遊技状態移行手段」に対応する。
【００４８】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【００４９】
マイクロコンピュータ３０のＲＯＭ３２には、スタートレバー６を操作（スタート操作）する毎に行われる乱数サンプリングの判定に用いられる内部抽籤テーブルや停止用当籤役決定テーブル、停止ボタンの操作に応じてリールの停止態様を決定するための停止テーブル群などが格納されている。
【００５０】
また、このＲＯＭ３２には、副制御回路７２へ送信するための各種制御指令等が格納されている。副制御回路７２が主制御回路７１へ制御指令や情報等を入力することはなく、主制御回路７１から副制御回路７２への一方向で通信が行われる。ＲＡＭ３３には、内部当籤役、持越役などの種々の情報が格納される。
【００５１】
マイクロコンピュータ３０からの制御信号により動作が制御される主要なアクチュエータとしては、ＢＥＴランプ（１−ＢＥＴランプ１７ａ、２−ＢＥＴランプ１７ｂ、最大ＢＥＴランプ１７ｃ）と、ボーナス遊技情報表示部１６、払出表示部１８、クレジット表示部１９等の表示部と、メダルを収納しホッパー駆動回路４１の命令により所定枚数のメダルを払出すホッパー（払出しのための駆動部を含む）４０と、リール３Ｌ，３Ｃ，３Ｒを回転駆動するステッピングモータ４９Ｌ，４９Ｃ，４９Ｒとがある。
【００５２】
また、ステッピングモータ４９Ｌ，４９Ｃ，４９Ｒを駆動制御するモータ駆動回路３９、ホッパー４０を駆動制御するホッパー駆動回路４１、ＢＥＴランプ１７ａ，１７ｂ，１７ｃを駆動制御するランプ駆動回路４５並びにボーナス遊技情報表示部１６、払出表示部１８、クレジット表示部１９などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００５３】
また、マイクロコンピュータ３０へは、スタートスイッチ６Ｓ、停止スイッチ７ＬＳ，７ＣＳ，７ＲＳ、ＢＥＴスイッチ１３Ｓ、Ｃ／Ｐスイッチ１４Ｓ、メダルセンサ１０Ｓ、リール位置検出回路５０、払出完了信号回路５１から入力信号が入力され、これらに基づいて制御指令が発生される。
【００５４】
スタートスイッチ６Ｓは、スタートレバー６の操作を検出するスイッチであり、メダルセンサ１０Ｓは、メダル投入口１０に投入されたメダルを検出するセンサである。停止スイッチ７ＬＳ，７ＣＳ，７ＲＳは、それぞれ対応する停止ボタン７Ｌ，７Ｃ，７Ｒの操作に応じて停止信号を発生するスイッチである。ＢＥＴスイッチ１３Ｓは、ＢＥＴボタン１３の背面に設けられＢＥＴボタン１３の操作に応じて信号を発生するスイッチである。Ｃ／Ｐスイッチ１４Ｓは、Ｃ／Ｐボタン１４の背面に設けられＣ／Ｐボタン１４の操作に応じて信号を発生するスイッチである。リール位置検出回路５０は、リール回転センサからのパルス信号を受けて各リール３Ｌ，３Ｃ，３Ｒの位置を検出するための信号をＣＰＵ３１へ供給する回路である。払出完了信号回路５１は、メダル検出部４０Ｓの計数値（ホッパー４０から払出されたメダルの枚数）が指定された枚数データに達した時にメダル払出完了を示す信号を発生する。
【００５５】
乱数発生器３６は、一定の数値範囲に属する乱数を発生し、サンプリング回路３７は、スタートレバー６が操作された後の適宜のタイミングで乱数をサンプリングする。こうしてサンプリングされた乱数を使用することにより、例えばＲＯＭ３２内に格納されている内部抽籤テーブルなどに基づいて内部当籤役などが決定される。
【００５６】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。このようにして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００５７】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００５８】
ＲＯＭ３２内には、役の成立（入賞など）となる図柄の組合せと、入賞のメダル配当枚数とが対応付けられた図柄組み合わせテーブルが格納されている。この図柄組合せテーブルは、左のリール３Ｌ，中央のリール３Ｃ，右のリール３Ｒの停止制御時並びに全リール３Ｌ，３Ｃ，３Ｒの停止後の入賞確認（表示役の確認）を行う際に参照される。表示役（表示役データ）は、有効ラインに沿って並ぶ図柄組合せに対応する役（成立役）であり、遊技者にはこの表示役に対応する利益が付与される。
【００５９】
ＣＰＵ３１は、上記乱数サンプリングに基づく抽籤処理（内部抽籤処理など）により内部当籤役や停止用当籤役を決定したならば、遊技者が停止スイッチ７Ｌ，７Ｃ，７Ｒを操作したタイミングで停止スイッチ７ＬＳ，７ＣＳ，７ＲＳから送られる操作信号並びに決定された停止テーブルに基づいて、リール３Ｌ，３Ｃ，３Ｒを停止制御する信号をモータ駆動回路３９に送出する。
【００６０】
また、ＣＰＵ３１は、当籤した役の入賞を示す停止態様（即ち入賞態様）になれば、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時にメダル払出完了信号をＣＰＵ３１に入力する。これにより、ＣＰＵ３１は、ホッパー駆動回路４１を介してホッパー４０の駆動を停止し、メダル払出処理を終了することになる。
【００６１】
続いて、図６を用いて、実施例１に係るパチスロ機１の副制御回路７２について説明する。図６に示すように、この副制御回路７２は、バスを介して主制御回路７１に接続されるとともに、液晶表示装置１３１と、スピーカ９Ｌ，９Ｒと、ＬＥＤ類１０１と、ランプ類１０２と、音量調節部１０３とが接続されている。なお、副制御回路７２と、副制御回路７２により制御される図４４などのサブ制御処理は、特許請求の範囲に記載の「移行抽籤手段」、「ポイント付与手段」および「当籤役報知手段」に対応する。
【００６２】
また、この副制御回路７２の内部構成は、図６に示すように、画像制御回路（ｇＳｕｂ）７２ａと、音・ランプ制御回路（ｍＳｕｂ）７２ｂとからなり、この画像制御回路（ｇＳｕｂ）７２ａ及び音・ランプ制御回路（ｍＳｕｂ）７２ｂは、主制御回路７１を構成する回路基板とは別の回路基板上に形成される。
【００６３】
主制御回路７１と画像制御回路（ｇＳｕｂ）７２ａとの間の通信は、主制御回路７１から画像制御回路（ｇＳｕｂ）７２ａへの一方向で行われ、画像制御回路（ｇＳｕｂ）７２ａが主制御回路７１へ制御指令や情報等を出力することはない。また、画像制御回路（ｇＳｕｂ）７２ａと音・ランプ制御回路（ｍＳｕｂ）７２ｂとの間の通信は、画像制御回路（ｇＳｕｂ）７２ａから音・ランプ制御回路（ｍＳｕｂ）７２ｂへの一方向で行われ、音・ランプ制御回路（ｍＳｕｂ）７２ｂが画像制御回路（ｇＳｕｂ）７２ａへ制御指令や情報等を出力することもない。
【００６４】
画像制御回路（ｇＳｕｂ）７２ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ（ＣＲＯＭ（キャラクタＲＯＭ））８８及びビデオＲＡＭ８９からなる。また、画像制御回路７２ａは、液晶表示装置１３１の表示制御を行う回路であり、ビデオディスクプロセッサＶＤＰ（Video-Display-Processor）、（以下、ＶＤＰと称する）、各種の画像データを生成するためのデータが記憶される画像データＲＯＭ、画像データをバッファするフレームバッファ、画像データを画像信号として変換するＤ／Ａコンバータなどから構成される。
【００６５】
画像制御マイコン８１は、ＶＤＰ（Video-Display-Processor）、割込コントローラ、入出力ポート（シリアルポート８２は図示）を備えている。この画像制御マイコン８１に備えられたＶＤＰは、主制御回路７１から送信された制御指令に基づき、プログラムＲＯＭ８３内に格納された制御プログラムに従って各種の処理を行う。また、主制御回路７１から有効ラインを表示すべき旨の制御指令を受信したならば、液晶表示装置１３１上に有効ラインを表示（点灯）するよう画像制御ＩＣ８６に指示する。なお、画像制御回路（ｇＳｕｂ）７２ａは、クロックパルス発生回路、分周器、乱数発生器及びサンプリング回路を備えていないが、画像制御マイコン８１の動作プログラム上でソフトウエア的に乱数サンプリングを実行するよう構成されている。
【００６６】
シリアルポート８２は、主制御回路７１から送信される制御指令等を受信するポートである。プログラムＲＯＭ８３は、画像制御マイコン８１で実行する制御プログラムや後述する各種テーブルを記憶する。ワークＲＡＭ８４は、画像制御マイコン８１が制御プログラムを実行する場合に使用する作業用のメモリ領域として使用され、このワークＲＡＭ８４には、演出等に関する種々の情報が記憶される。
【００６７】
カレンダＩＣ８５は、日付データを記憶するＩＣであり、遊技店の従業員等が図示しない操作部を操作して日付の設定等が行われ、設定された日付がカレンダＩＣ８５に格納される。なお、ワークＲＡＭ８４とカレンダＩＣ８５は、バックアップ対象とされているため、画像制御マイコン８１に供給される電源が遮断された場合であっても、電力が供給され続け、記憶された情報等の消去が防止される。
【００６８】
画像制御ＩＣ８６は、画像制御マイコン８１により決定されたナビポイント獲得遊技中または現在の遊技状態を報知する画像や演出内容に応じた画像を生成して液晶表示装置１３１に出力するＩＣである。この画像制御ＩＣ８６には制御ＲＡＭ８７が含まれており、画像制御マイコン８１がこの制御ＲＡＭ８７に対する情報の読み出しや書き込みを行う。また、制御ＲＡＭ８７には、画像制御ＩＣ８６のレジスタと、スプライト属性テーブルと、カラーパレットテーブルとが展開されており、画像制御マイコン８１がこの画像制御ＩＣ８６のレジスタ及びスプライト属性テーブルを所定のタイミングごとに更新する。
【００６９】
また、この画像制御ＩＣ８６には、液晶表示装置１３１と、画像ＲＯＭ８８と、ビデオＲＡＭ８９とが接続されている。なお、３次元画像データなど大量の画像データを処理する場合には、画像ＲＯＭ８８を画像制御マイコン８１に接続する構成とすることもできる。画像ＲＯＭ８８は、画像を生成するための画像データ、ドットデータ等を格納する。ビデオＲＡＭ８９は、画像制御ＩＣ８６で画像を生成する場合の一時記憶手段として用いられる。また、画像制御ＩＣ８６は、ビデオＲＡＭ８９のデータを液晶表示装置１３１に転送終了する毎に画像制御マイコン８１に信号を送信する。
【００７０】
また、画像制御回路（ｇＳｕｂ）７２ａでは、画像制御マイコン８１が、音・ランプの演出の制御についても行う。画像制御マイコン８１は、決定された演出に基づいて音・ランプの種類及び出力タイミングを決定し、所定のタイミングごとに音・ランプ制御回路（ｍＳｕｂ）７２ｂにシリアルポート８２を介して制御指令を送信する。この制御指令を受信した音・ランプ制御回路（ｍＳｕｂ）７２ｂは、画像制御回路（ｇＳｕｂ）７２ａから受信した制御指令に応じて音・ランプの出力のみを行う（後述する音量調節制御を除く）。
【００７１】
音・ランプ制御回路（ｍＳｕｂ）７２ｂは、音・ランプ制御マイコン９１、シリアルポート９２、プログラムＲＯＭ９３、ワークＲＡＭ９４、音源ＩＣ９５、パワーアンプ９６及び音源ＲＯＭ９７からなる。
【００７２】
音・ランプ制御マイコン９１は、ＣＰＵ、割込コントローラ、入出力ポート（シリアルポート９２は図示）を備えている。音・ランプ制御マイコン９１内のＣＰＵは、画像制御回路（ｇＳｕｂ）７２ａから送信された制御指令に基づき、プログラムＲＯＭ９３内に格納された制御プログラムに従って音・ランプの出力処理を行う。また、音・ランプ制御マイコン９１には、ＬＥＤ類１０１及びランプ類１０２が接続されている。音・ランプ制御マイコン９１は、画像制御回路（ｇＳｕｂ）７２ａから所定のタイミングで送信される制御指令に応じて、このＬＥＤ類１０１及びランプ類１０２に出力信号を送信する。これにより、ＬＥＤ類１０１及びランプ類１０２が演出に応じた所定の態様で発光することとなる。
【００７３】
シリアルポート９２は、画像制御回路（ｇＳｕｂ）７２ａから送信される制御指令等を受信する入力ポートである。プログラムＲＯＭ９３は、音・ランプ制御マイコン９１で実行する制御プログラム等を格納したメモリである。ワークＲＡＭ９４は、音・ランプ制御マイコン９１が前述した制御プログラムを実行する場合の、作業用のワークメモリとして使用される。
【００７４】
音源ＩＣ９５は、画像制御回路（ｇＳｕｂ）７２ａから送信された制御指令に基づいて音源を生成してパワーアンプ９６に出力する。パワーアンプ９６は増幅器であり、このパワーアンプ９６にはスピーカ９Ｌ，９Ｒが接続されている。パワーアンプ９６は、音源ＩＣ９５から出力された音源を増幅し、増幅した音源をスピーカ９Ｌ，９Ｒから出力させる。音源ＲＯＭ９７は、音源を生成するための音源データ（フレーズ等）等を格納する。
【００７５】
また、音・ランプ制御マイコン９１には、音量調節部１０３が接続されている。この音量調節部１０３は、遊技店の従業員等により操作可能となっており、スピーカ９Ｌ，９Ｒから出力される音量の調節が行われる。音・ランプ制御マイコン９１は、音量調節部１０３から送信される入力信号に基づいて、スピーカ９Ｌ，９Ｒから出力される音を入力された音量に調節する制御を行う。
【００７６】
次に、図７を参照して、主制御回路の図柄配置テーブルについて説明する。図７は、実施例１においてパチスロ機１が採用する図柄配置テーブルの一例を示す図である。
【００７７】
図柄配置テーブルは、各リール３Ｌ、３Ｃ、３Ｒの周面に配された図柄の構成（図４参照）をデータとして表わしたものである。図柄配置テーブルには、リールインデックスが検出されたときに、図柄表示領域２１Ｌ、２１Ｃ、２１Ｒに配置された図柄を図柄位置「０」〜「２０」として、図柄位置と図柄の種別とが対応付けて記憶されている。各図柄の種別は、例えば、「リプレイ」であれば「０００００１００」など、１バイトのデータにより表わされる。
【００７８】
［パチスロ機１の内部抽籤テーブル決定テーブル］
次に、図８を用いて、実施例１においてパチスロ機１が採用する内部抽籤テーブル決定テーブルの一例を説明する。図８は、実施例１においてパチスロ機１が採用する内部抽籤テーブル決定テーブルの一例を示す図である。ここで、抽籤回数とは、内部抽籤処理内で、内部抽籤テーブルを参照して乱数値が当籤しているか否かを判断する回数をいう。
【００７９】
内部抽籤テーブル決定テーブルでは、ＲＡＭ３３の遊技状態格納領域に格納されている遊技状態の種別に応じて決定される内部抽籤テーブルの種別と抽籤回数が規定されている。一般遊技状態では、一般遊技状態用内部抽籤テーブルが決定され、基本的には、抽籤回数が８に決定される。また、レギュラーボーナス（以下、「ＲＢ」と略記する）遊技状態では、ＲＢ遊技状態用内部抽籤テーブルが決定され、抽籤回数が５に決定され、ＲＴ１遊技状態では、ＲＴ１遊技状態用内部抽籤テーブルが決定され、抽籤回数が８に決定され、ＲＴ２遊技状態では、ＲＴ２遊技状態用内部抽籤テーブルが決定され、抽籤回数が８に決定される。
【００８０】
［パチスロ機１の内部抽籤テーブル］
次に、図９を用いて、実施例１においてパチスロ機１が採用する内部抽籤テーブルの一例を説明する。図９は、実施例１においてパチスロ機１が採用する内部抽籤テーブル（ＢＥＴ数：３）の一例を示す図である。
【００８１】
図９（１）は、一般遊技状態用内部抽籤テーブルを示す。この一般遊技状態用内部抽籤テーブルは、内部当籤役に対応する数値範囲の下限値および上限値の情報を格納している。また、この一般遊技状態では、ＢＢ１、ＢＢ２、リプレイの小役、青チェリーの小役、赤チェリーの小役、黄チェリーの小役、スイカの小役及びベルの小役に内部当籤する場合がある。
【００８２】
このうち、ＢＥＴ数が３の場合の内部抽籤テーブルについて具体的な例を挙げて説明すると、ＢＢ２に対応する数値範囲は“６４２３４〜６４３１２”であり、ＢＢ２内部当籤となる数値範囲の下限値は“６４２３４”であり、上限値は“６４３１２”である。ＢＢ１に対応する数値範囲は“６４１５５〜６４２３３”であり、ＢＢ１内部当籤となる数値範囲の下限値は“６４１５５”であり、上限値は“６４２３３”である。また、黄チェリーに対応する数値範囲は“６２５５５〜６４１５４”であり、黄チェリー内部当籤となる数値範囲の下限値は“６２５５５”であり、上限値は“６４１５４”である。赤チェリーに対応する数値範囲は“６０９５５〜６２５５４”であり、赤チェリー内部当籤となる数値範囲の下限値は“６０９５５”であり、上限値は“６２５５４”である。青チェリーに対応する数値範囲は“５９３５５〜６０９５４”であり、青チェリー内部当籤となる数値範囲の下限値は“５９３５５”であり、上限値は“６０９５４”である。
【００８３】
図９（２）は、ＲＢ遊技状態用内部抽籤テーブルを示す。このＲＢ遊技状態では、スイカの小役、ベルの小役、青チェリーの小役、赤チェリーの小役、黄チェリーの小役に当籤する場合がある。
【００８４】
このＲＢ遊技状態においても一般遊技状態と同様であり、青チェリーに対応する数値範囲は“５６３３６〜５７９３５”であり、青チェリー内部当籤となる数値範囲の下限値は“５６３３６”であり、上限値は“５７９３５”である。赤チェリーに対応する数値範囲は“５７９３６〜５９５３５”であり、赤チェリー内部当籤となる数値範囲の下限値は“５７９３６”であり、上限値は“５９５３５”である。黄チェリーに対応する数値範囲は“５９５３６〜６１１３５”であり、黄チェリー内部当籤となる数値範囲の下限値は“５９５３６”であり、上限値は“６１１３５”である。
【００８５】
図９（３）および図９（４）は、ＲＴ１遊技状態用内部抽籤テーブルおよびＲＴ２遊技状態用内部抽籤テーブルを示す。このＲＴ１遊技状態およびＲＴ２遊技状態では、一般遊技状態と同様に、ＢＢ１、ＢＢ２、リプレイの小役、青チェリーの小役、赤チェリーの小役、黄チェリーの小役、スイカの小役及びベルの小役に内部当籤する場合がある。一般遊技状態用内部抽籤テーブル、ＲＴ１遊技状態用内部抽籤テーブルおよびＲＴ２遊技状態用内部抽籤テーブルは、それぞれリプレイの上限値と下限値の幅が異なるように構成されている。すなわち、ＲＴ１遊技状態用内部抽籤テーブルおよびＲＴ２遊技状態用内部抽籤テーブルは、リプレイの当籤確率がそれぞれ異なるように設定されている。
【００８６】
ここで、内部抽籤テーブルを用いた当籤番号の決定（抽籤）を説明する。例えば、一般遊技状態においては、前述した内部抽籤テーブル決定テーブル（図８参照）が定めるように、抽籤回数「８回」と同じ当籤番号「８」から降順に当籤番号が「１」になるまで、乱数値が当籤番号に対応する下限値及び上限値に示される数値範囲内にあるか否かを判断する。
【００８７】
具体的に例を挙げて説明すると、サンプリング回路３７によって乱数値“６０９５６”がサンプリングされたならば、ＣＰＵ３１は、一般遊技状態用内部抽籤テーブルを参照して、当該乱数値が当籤番号「１」に対応する数値範囲“０〜８５５４”に含まれるか否かを判定する。
【００８８】
より詳細には、ＣＰＵ３１は、当籤番号「１」について乱数値Ｒ（６０９５６）−下限値Ｌ（０）を計算し、乱数値Ｒ（６０９５６）−下限値Ｌ（０）の計算結果が正となるので、ＣＰＵ３１は、乱数値Ｒ（６０９５６）−上限値Ｕ（８５５４）をさらに計算する。このとき、計算結果（Ｒ−Ｕ）が正となるので（下限値Ｌ≦上限値≦乱数値Ｒと確認されるので）、ＣＰＵ３１は、当籤番号「１」に不当籤、すなわちベルに不当籤と判定する。このように、ＣＰＵ３１は、当籤番号を１つずつインクリメントして当籤番号「２」、「３」、「４」と昇順に抽籤を行っていくが、当籤番号「２」、「３」、「４」についても、当籤番号「１」と同様に、乱数値Ｒ−上限値Ｌの計算結果が正になるので、不当籤と判定することとなる。
【００８９】
そして、当籤番号「５」の抽籤においては、乱数値Ｒ（６０９５６）−下限値Ｌ（６０９５５）の計算結果が正となるので、ＣＰＵ３１は、乱数値Ｒ（６０９５６）−上限値Ｕ（６２５５４）をさらに計算する。このとき、計算結果（Ｒ−Ｕ）が負となるので（下限値Ｌ≦乱数値Ｒ≦上限値Ｕと確認されるので）、ＣＰＵ３１は、当籤番号「５」に内部当籤（赤チェリーに内部当籤）と判定する。
【００９０】
このようにして、当籤番号が「８」になるまで抽籤を繰り返すことで、当籤番号「５」に内部当籤した（赤チェリーに内部当籤した）という抽籤結果を得ることができる。
【００９１】
［パチスロ機１の内部当籤役決定テーブル］
次に、図１０を用いて、実施例１においてパチスロ機１が採用する内部当籤役決定テーブルの一例を説明する。図１０は、実施例１においてパチスロ機１が採用する内部当籤役決定テーブルの一例を示す図である。
【００９２】
同図に示すように、内部当籤役決定テーブルでは、当籤番号に応じた内部当籤役が規定されている。具体的には、当籤番号１〜８のそれぞれに応じて、ベル、スイカ、リプレイ、青チェリー、赤チェリー、黄チェリー、ＢＢ１、ＢＢ２のそれぞれが規定されている。また、内部当籤役決定テーブルでは、前述の当籤番号および内部当籤役に応じて格納領域種別が規定されている。
【００９３】
格納領域種別は、決定された内部当籤役が格納されるＲＡＭ３３の内部当籤役格納領域の種別を識別するためのデータである（より具体的には、格納領域のアドレスを算出するためのオフセット）。内部当籤役は、それぞれの内部当籤役格納領域において１バイトのデータにより表わされる。内部当籤役決定テーブルでは、当籤番号１〜６（すなわち、ベル〜黄チェリー）に応じて格納領域種別１が規定され、当籤番号７および８（すなわち、ＢＢ１およびＢＢ２）に応じて格納領域２が規定されている。そして、格納領域１および２のそれぞれに対して、内部当籤役１格納領域、内部当籤役２格納領域のそれぞれが関連付けられている。従って、例えば、当籤番号１〜６に応じた内部当籤役が決定されると、内部当籤役１格納領域に格納されるようになる。
【００９４】
［パチスロ機１の各格納領域］
次に、図１１〜１５を用いて、実施例１においてパチスロ機１が採用する内部当籤役１、内部当籤役２、持越役、作動中フラグおよび遊技状態の格納領域の一例について説明する。図１１は、実施例１においてパチスロ機１が採用する内部当籤役１の格納領域の一例を示す図であり、図１２は、実施例１においてパチスロ機１が採用する内部当籤役２の格納領域の一例を示す図であり、図１３は、実施例１においてパチスロ機１が採用する持越役の格納領域の一例を示す図であり、図１４は、実施例１においてパチスロ機１が採用する作動中フラグの格納領域の一例を示す図であり、図１５は、実施例１においてパチスロ機１が採用する遊技状態の格納領域の一例を示す図である。
【００９５】
内部当籤役が決定されると、格納領域種別に応じて、各内部当籤役格納領域に格納される。図１１に示す内部当籤役１格納領域のビット０〜５のそれぞれは、ベル、スイカ、青チェリー、赤チェリー、黄チェリーがそれぞれ対応している（ビット６および７は未使用）。また、図１２に示す内部当籤役２格納領域のビット０〜１のそれぞれは、ＢＢ１、ＢＢ２にそれぞれ対応している（ビット２〜７は未使用）。なお、表示役格納領域の構成は、この内部当籤役格納領域の構成と同様の内容となっている。
【００９６】
次に、図１３を用いて主制御回路７１のＲＡＭ３３の持越役格納領域の構成について説明する。
【００９７】
前述の内部当籤決定テーブルによりボーナスゲームの作動に係る内部当籤役が決定されると、それを示す識別子（すなわち、フラグ）がこの持越役格納領域に格納される。具体的に、ビット０〜ビット１のそれぞれは、ＢＢ１およびＢＢ２のそれぞれに対応している。また、持越役格納領域に格納された識別子は、ボーナスゲームの作動が開始されることによりクリアされる。すなわち、ボーナスゲームの作動に係る内部当籤役が決定されると、そのボーナスゲームの作動が開始されるまでの間、その識別子が記憶される構成となっている（いわゆる「持ち越し」と称され、格納されている識別子は「持越役」と称される）。そして、持越役格納領域に識別子が格納されている間は、抽出される乱数値にかかわらず、その格納されている識別子が内部当籤役として決定されるようになっている。また、持越役は、内部当籤役に基づいて決定されることから、内部当籤役の下位概念ともいえる。
【００９８】
次に、図１４を用いて主制御回路７１のＲＡＭ３３の作動中フラグ格納領域の構成について説明する。
【００９９】
ボーナスゲームおよびＲＴの作動が開始される場合には、作動が開始されるボーナスゲームおよびＲＴの種別を示す識別子がこの作動中フラグ格納領域に格納される。具体的に、ビット０〜ビット４のそれぞれは、ＲＢ作動中フラグ、ＢＢ１作動中フラグ、ＢＢ２作動中フラグ、ＲＴ１作動中フラグ、ＲＴ２作動中フラグにそれぞれ対応している。
【０１００】
次に、図１５を用いて主制御回路７１のＲＡＭ３３の遊技状態格納領域の構成について説明する。
【０１０１】
前述の作動中フラグ格納領域に格納されているデータに基づいて、遊技状態の更新が行われると、遊技状態の種別を示す識別子がこの遊技状態格納領域に格納されている。具体的には、ビット０〜ビット３のそれぞれは、一般遊技状態、ＲＢ遊技状態、ＲＴ１遊技状態、ＲＴ２遊技状態のそれぞれに対応している。
【０１０２】
［パチスロ機１の図柄組合せと払い出し枚数の関係］
次に、図１６を用いて、実施例１に係るパチスロ機１の役と図柄組合せと払出枚数との関係について説明する。図１６は、実施例１に係るパチスロ機１の役と図柄組合せと払出枚数との関係を説明するための説明図である。同図に示すように、この図柄組合せテーブルは、いずれかの有効ライン（８ａ〜８ｅ、図３参照）上の３つの図柄停止位置の各々に停止表示された図柄の組合せに対応する表示役と、表示役に対応する投入枚数（ＢＥＴ数３）毎の払出枚数の情報とを備えている。また、この図柄組合せテーブルは、全リール３Ｌ，３Ｃ，３Ｒが停止した後、有効ラインに沿って表示された図柄の組合せに応じて払出枚数を決定する場合に参照される。
【０１０３】
同図に示すように、ＢＢ１は、“赤７−赤７−赤７”が有効ラインに沿って並ぶことにより役が成立し（表示役がＢＢ１となる）、また、ＢＢ２は、“ＢＡＲ−ＢＡＲ−ＢＡＲ”が有効ラインに沿って並ぶことにより役が成立する（表示役がＢＢ２となる）。
【０１０４】
また同様に、「スイカの小役」は、“スイカ−スイカ−スイカ”が有効ラインに沿って並ぶことにより入賞する入賞役であり、つまり、この「スイカの小役」は、全てのリールにおいて有効ライン上にスイカの図柄が停止表示されることで入賞する３リール役の入賞役である。なお、「ベルの小役」も上記と同様の３リール役の入賞役である。
【０１０５】
また、チェリーの小役（青チェリー、赤チェリー、黄チェリー）は、“チェリー−ＡＮＹ−ＡＮＹ”が有効ラインに沿って並ぶことにより入賞する入賞役である。つまり、この「チェリーの小役」は、チェリーの図柄が左リール位置に停止表示されるだけで入賞する１リール役の入賞役である。
【０１０６】
[ボーナス作動時テーブル]
次に、図１７を用いて、実施例１においてパチスロ機１が採用するボーナス作動時テーブルの一例を説明する。図１７は、実施例１においてパチスロ機１が採用するボーナス作動時テーブルの一例を示す図である。
【０１０７】
ボーナス作動時テーブルには、ＲＴ１の作動時には、ＲＡＭ３３の作動中フラグ格納領域におけるＲＴ１作動中フラグがオンされ、ＲＴ遊技数カウンタにＢＢ１終了後の場合には「１５００」が格納され、ＢＢ２終了後の場合には「１０００」が格納される。ＲＴ遊技数カウンタは、ＲＴ１遊技状態において実行される遊技数を計数するためのデータである。
【０１０８】
また、ボーナス作動時テーブルには、ボーナスゲームの作動の開始後に、ＲＡＭ３３の所定領域に格納されるデータが規定されている。ＲＢの作動時には、ＲＡＭ３３の作動中フラグ格納領域におけるＲＢ作動中フラグがオンされ、遊技可能回数カウンタは、ＲＢ作動中において行われた単位遊技の回数を計数するためのデータである。入賞可能回数カウンタは、ＲＢ作動中において入賞が決定された（例えば、メダルの払い出しに係る表示役が決定された）回数を計数するためのデータである。
【０１０９】
ＢＢ１の作動時には、ＲＡＭ３３の作動中フラグ格納領域におけるＢＢ１作動中フラグがオンされ、ボーナス終了枚数カウンタに４６５が格納される。ボーナス終了枚数カウンタは、ＢＢ１の作動中（ＢＢ２の作動中も同様）における払出枚数の総数を計数するためのデータである。また、ＢＢ２の作動時には、ＲＡＭ３３の作動中フラグ格納領域におけるＢＢ２作動中フラグがオンされ、ボーナス終了枚数カウンタに４６５が格納される。
【０１１０】
[停止テーブル決定テーブル]
次に、図１８を用いて、実施例１においてパチスロ機１が採用する停止テーブル決定テーブルの一例を説明する。図１８は、実施例１においてパチスロ機１が採用する停止テーブル決定テーブルの一例を示す図である。
【０１１１】
停止テーブル決定テーブルには、内部当籤役に応じた停止テーブルの種別が規定されている。より具体的には、内部当籤役１格納領域および内部当籤役２格納領域に格納されるデータ（一種類に限らず、複数種類の内部当籤役が格納される場合も含まれる）に応じて、停止テーブルが規定されている。
【０１１２】
例えば、青チェリー（すなわち、内部当籤役１格納領域のビット３がオンのとき）に対しては、青チェリー用テーブルが規定されている。また、赤チェリー＋ＢＢ１（すなわち、内部当籤役１格納領域のビット４および内部当籤役２のビット０がオンのとき）に対しては、赤チェリー＋ＢＢ１用停止テーブルが規定されている。
【０１１３】
また、停止テーブル決定テーブルに規定されている内部当籤役に該当しない場合（すなわち、各内部当籤役格納領域がいずれも「０」のとき）は、ハズレ用停止テーブルが決定される。
【０１１４】
［パチスロ機１の図柄格納領域］
次に、図１９を用いて、実施例１においてパチスロ機１が採用する図柄格納領域の一例について説明する。図１９は、実施例１においてパチスロ機１が採用する図柄格納領域の一例を示す図である。
【０１１５】
図柄格納領域には、図柄表示領域２１Ｌ、２１Ｃ、２１Ｒにより表示される各リール３Ｌ、３Ｃ、３Ｒの図柄の種別を示すデータが格納されている。より詳しく説明すると、有効ラインとして、トップライン８ｂ、センターライン８ｃ、ボトムライン８ｄ、クロスアップライン８ａ、クロスダウンライン８ｅの五種類を設けているため、これらの有効ラインに表示される図柄の種別を示すデータが格納される。例えば、トップライン８ｂであれば、各図柄表示領域２１Ｌ、２１Ｃ、２１Ｒの上段に対応する図柄の種別が図柄格納領域に格納されることとなる。そして、図柄格納領域に格納されるデータと図柄組合せテーブルとに基づいて表示役等の決定が行われる。
【０１１６】
［パチスロ機１の停止テーブル］
次に、図２０〜図２３を用いて、実施例１においてパチスロ機１が採用する停止テーブルについて説明する。図２０は、実施例１においてパチスロ機１が採用する赤チェリー用停止テーブルの構成例を示す図であり、図２１は、実施例１においてパチスロ機１が採用する青チェリー用停止テーブルの構成例を示す図であり、図２２は、実施例１においてパチスロ機１が採用する黄チェリー用停止テーブルの構成例を示す図であり、図２３は、実施例１においてパチスロ機１が採用するスイカ用停止テーブルの構成例を示す図である。
【０１１７】
停止テーブルは、基本的に、所定の図柄組合せ（対応役の図柄組合せ）を所定の入賞ライン（有効ライン）にそって並べることが可能に構成されている。だだし、ハズレに対応する停止テーブルは、役に対応する図柄組合せが所定の入賞ラインに沿って並べることができないように構成されている。
【０１１８】
ここで、図２０〜図２３に示した赤チェリー用停止テーブル、青チェリー用停止テーブル、黄チェリー用停止テーブルおよびスイカ用停止テーブルを用いた停止制御を説明する。例えば、後述する内部抽籤処理により「赤チェリーの小役」を単位遊技の内部当籤役として決定した場合には、パチスロ機１のＣＰＵ３１は、左リール位置に「赤チェリー図柄」が停止表示されるように停止制御を行う。
【０１１９】
つまり、実施例１に係るパチスロ機１においては、１リール役“赤チェリー−ＡＮＹ−ＡＮＹ”が当籤した場合には、有効ライン上に「赤チェリー−ＡＮＹ−ＡＮＹ」が停止表示されるようにする。
【０１２０】
また、実施例１では、いわゆる滑りコマ数を最大４コマとしている。例えば、これらの停止テーブルから赤チェリー用停止テーブルを例にとって簡単に説明すると、図２０に示すように、左リール３Ｌ回転中において、コードナンバー「８」のＢＡＲ図柄（図４参照）が中段のラインの位置に到達したときに、停止ボタン７Ｌが操作された場合、コードナンバー「１２」の赤チェリー図柄を中段のラインの位置に停止表示するように左リール３Ｌを停止制御するため、いわゆる「引込み」を行う。
【０１２１】
また、図２１に示すように、青チェリー用停止テーブルの場合、左リール３Ｌの回転中において、コードナンバー「１５」の赤７図柄（図４参照）が中段のラインの位置に到達したときに、停止ボタン７Ｌが操作された場合、コードナンバー「１９」の青チェリー図柄を中段のラインの位置に停止表示するように左リール３Ｌを停止制御する「引込み」を行なう（図中の太枠部が引き込み範囲）。
【０１２２】
また、図２２に示すように、黄チェリー用停止テーブルの場合、左リール３Ｌの回転中において、コードナンバー「１」の赤７図柄（図４参照）が中段のラインの位置に到達したときに、停止ボタン７Ｌが操作された場合、コードナンバー「５」の黄チェリー図柄を中段のラインの位置に停止表示するように左リール３Ｌを停止制御する「引込み」を行なう。
【０１２３】
「引込み」とは、基本的に、有効ラインが結ぶ図柄停止位置（以下「有効図柄停止位置」という）に、最大滑りコマ数４の条件下で引込み対象役（内部当籤役）に対応する図柄組合せを構成する図柄（以下「引込み対象図柄」という）を表示するように、停止制御の対象であるリール（停止操作に対応するリール）を停止させることをいう。ただし、「引込み」を試みたが、最大滑りコマ数が４の範囲で「引込み」が実現できない場合には、基本的に内部当籤役に対応する停止テーブルをセットし、停止操作に対応するリールの停止制御を行う。
【０１２４】
次に、図２３に示すスイカ停止テーブルによる停止制御について説明する。ここで、同図で示す太枠部は該当する停止開始位置で操作を行なってもスイカ図柄が入賞ラインに停止しないポイントを表している。つまり、スイカが内部当籤した場合であっても、遊技者により停止操作される左リール３Ｌにおける停止開始位置が０、４〜７、１１〜２０である場合には、このスイカ図柄が入賞ライン（中段のラインの位置）に停止することはない。
【０１２５】
また、このスイカ用停止テーブルの場合、例えば、左リール３Ｌの回転中において、コードナンバー「８」のＢＡＲ図柄（図４参照）が中段のラインの位置に到達したときに、停止ボタン７Ｌが操作された場合、コードナンバー「１０」のスイカ図柄を中段のラインの位置に停止表示するように左リール３Ｌを停止制御する「引込み」を行なう。
【０１２６】
[スイカ内部当籤時のリール停止制御の一例]
次に、図２４を参照して、スイカ内部当籤時のリール停止制御による停止表示の一例を説明する。図２４では、各リール３Ｌ，３Ｃ，３Ｒの停止開始位置において、左リール３Ｌが停止開始位置（コードナンバー）「１２」の位置であり、中リール３Ｃがコードナンバー「１４」の位置であり、右リール３Ｒがコードナンバー「１５」の位置である場合に、停止される図柄の表示例を示している。
【０１２７】
すなわち、左リール３Ｌのコードナンバー「１２」を停止操作した場合に、滑りコマ数が２（図２３のスイカ用停止テーブル参照）であるため、２個引き込んでコードナンバー「１４」のベルの図柄が停止する。また、中リール３Ｃのコードナンバー「１４」を停止操作した場合に、滑りコマ数が１であるため、１個引き込んでコードナンバー「１５」の赤７の図柄が停止する。また、右リール３Ｒのコードナンバー「１５」を停止操作した場合に、滑りコマ数が２であるため、２個引き込んでコードナンバー「１７」のスイカの図柄が停止する。
【０１２８】
［パチスロ機１のジャンプテーブル］
次に、図２５を用いて、副制御回路７２のジャンプテーブルの一例について説明する。図２５は、副制御回路７２のジャンプテーブルの一例を説明するための説明図である。このジャンプテーブルは、主制御回路７１から受信するコマンド（情報あるいは指令）と、このコマンドの種類に応じて行う処理と、シャンプ先の処理が対応付けられたテーブルである。
【０１２９】
具体的には、主制御回路７１は、“４バイト”〜“８バイト”からなるデータ（情報）を一つのコマンドとして副制御回路７２へ送信するため、このコマンドの“１バイト目”のデータ（先頭データ）と、この先頭データが示す処理内容とがジャンプテーブル内に格納されている。
【０１３０】
図中に示した「初期化コマンド処理」は、ワークＲＡＭ８４などを初期化する処理であり、「デモ表示コマンド処理」は、遊技機が「客待ち」の状況であることを報知する画像を中部液晶表示部２ｂに表示する処理である。「遊技メダル投入コマンド処理」は、「ＢＥＴ操作」を契機として行われる処理であり、「遊技開始コマンド処理」は、スタートレバー６の操作を契機として行われる処理である。「リール停止コマンド処理」は、いずれかの停止ボタン７Ｌ，７Ｃ，７Ｒが操作されたことを契機として行われる処理であり、「全リール停止コマンド処理（遊技終了処理）」は、「第３停止操作」を契機として行われる処理である。
【０１３１】
「表示役成立コマンド処理」は、役の成否などに基づいて行われる処理であり、「払出終了コマンド処理」は、メダル払出処理を行った後、払出枚数に基づいて行われる処理である。「遊技状態変更コマンド処理」は、ボーナス（ＢＢ）の入賞を契機として遊技状態の情報を「ＲＢ遊技状態」に変更する処理である。「ＢＢ終了時遊技動作コマンド処理」は、「ボーナス遊技状態」の終了時に遊技状態の情報を「一般遊技状態」に変更する処理である。「エラーコマンド処理」は、ホッパー４０内のメダルが空になる等の不具合が生じた場合に行われる処理である。「演出指示要求コマンド処理」は、所定の演出を液晶表示部２ｂに表示する処理である。「特賞作動タイミングコマンド処理」は、ボーナスが開始されるときに行われる処理である。
【０１３２】
［パチスロ機１の難易度選択テーブル］
次に、図２６を用いて、副制御回路７２の難易度選択テーブルの一例について説明する。図２６は、副制御回路７２の難易度選択テーブルの一例を説明するための説明図である。
【０１３３】
同図に示すように、この難易度選択テーブルは、ミニゲーム（ナビポイント獲得ゲーム）の漢字選択ゲーム（図３１参照）における遊技者の正解率と、ミニゲームの漢字選択ゲームにおいて出題される難易度とを対応付けて記憶しており、ミニゲームが発生する場合に、そのミニゲームで出題される漢字選択ゲームの難易度を選択するのに用いられる。
【０１３４】
具体的には、ナビポイント付与選択テーブルでは、正解率「６７％〜１００％」に対応する難易度が「難しい」であり、正解率「３４％〜６６％」に対応する難易度が「普通」であり、正解率「０％〜３３％」に対応する難易度が「簡単」である。つまり、遊技者の正解率が高いほど難易度の高い問題が出題され、正解率が低いほど難易度が低い問題が出題される。
【０１３５】
［パチスロ機１のナビポイント付与選択テーブル］
次に、図２７を用いて、副制御回路７２の難易度に対応するナビポイント付与選択テーブルについて説明する。図２７は、副制御回路７２のナビポイント付与選択テーブルを説明するための説明図である。
【０１３６】
図２７に示すように、このナビポイント付与選択テーブルでは、ミニゲームで出題された問題の難易度と、その出題された問題を正解した場合に付与される取得ポイントとを対応付けて記憶しており、遊技者がミニゲームの問題に正解した場合に付与するナビポイントを決定するために参照される。
【０１３７】
具体的には、ナビポイント付与選択テーブルでは、難易度「難しい」に対応する取得ポイントが「７」であり、難易度「普通」に対応する取得ポイントが「５」であり、難易度「簡単」に対応する取得ポイントが「２」である。つまり、ナビポイント付与選択テーブルでは、難易度が難しいほど多くのポイントが付与され、簡単な問題ほど付与されるポイントが少ない。
【０１３８】
［パチスロ機１のポイント減算テーブル］
次に、図２８を用いて、副制御回路７２のポイント減算テーブルについて説明する。図２８は、副制御回路７２のポイント減算テーブルについて説明するための説明図である。
【０１３９】
図２８に示すように、現在の獲得したナビポイントと減算されるナビポイントとを対応付けて記憶しており、遊技者がミニゲームの問題を間違った場合に減算するナビポイントを決定するために参照される。
【０１４０】
ポイント減算テーブルでは、現在獲得されたナビポイントが「１」〜「５」である場合には、減算されるナビポイントのうち「１」〜「５」のいずれかが選択され、減算される。例えば、現在のナビポイントが「５」であって、減算されるナビポイントが「３」となった場合には、ナビポイントが「２」となる。
【０１４１】
［演出選択テーブルの構成］
次に、図２９および図３０を用いて、実施例１においてパチスロ機１が採用する演出選択テーブルの一例を説明する。図２９および図３０は、実施例１においてパチスロ機１が採用する演出選択テーブル（大分類テーブル、中分類テーブル、小分類テーブル）の一例を示す図である。この演出選択テーブルは、遊技者がスタートレバー６(図２)を押下（ＯＮ）して、何らかの役が内部抽籤（「ハズレ」も含む）した場合に、その抽籤結果に応じて、参照されるテーブルであり、それぞれの内部当籤役（「ハズレ」〜「スイカ」〜「青チェリー」〜「ＢＢ２」）に応じた各種の演出が格納されたテーブルである。
【０１４２】
この演出選択テーブルでは、ＲＴ１遊技状態用であって、かつナビポイントが１以上である場合における遊技で参照される演出テーブル（図２９）と、一般遊技状態、ＲＴ２遊技状態或いはＲＴ１遊技状態でナビポイントがない場合における遊技で参照される演出テーブル（図３０）とがある。また、それらの演出テーブルは、大分類テーブル、中分類テーブルおよび小分類テーブルで構成される。具体的には、大分類テーブルと、大分類テーブルを用いて抽籤される演出番号（１〜５）それぞれに対応する複数の中分類のテーブル（例えば、演出番号「１」用や演出番号「２」用）と、その中分類テーブルを用いて抽籤される演出番号（例えば、「１−１」、「１−２」）それぞれに対応する複数の小分類のテーブル（例えば、演出番号「１−１」用や演出番号「２−１」用）とで構成される。
【０１４３】
ここで、図２９および図３０を用いて、具体的な演出選択処理を説明する。図２９に示す演出選択テーブルは、ＲＴ１遊技状態用であり、かつナビポイントが１以上である場合における遊技で参照され、図３０に示す演出テーブルは、一般遊技状態、ＲＴ２遊技状態或いはＲＴ１遊技状態でナビポイントがない場合における遊技で参照される。
【０１４４】
図２９に示す演出選択テーブルでは、先ず、この大分類テーブルに基づいて、主制御回路７１(図１７)による遊技開始コマンド処理から送信された抽籤結果（内部当籤役（「ハズレ」〜「スイカ」〜「青チェリー」〜「ＢＢ２」）に応じた演出分類および演出番号が選択される。
【０１４５】
例えば、抽籤結果が「スイカ」である場合、この「スイカ」を対象とする抽籤を大分類テーブルで行ない、このスイカの内部当籤役に対応する演出分類および演出番号「１」〜「５」が選択される。具体的に説明すると、大分類テーブルによる抽籤（乱数範囲「０〜３２７６７」）により「０〜７９９９（８０００）」の範囲の数値が抽籤された場合、演出分類は「成立役報知」となり、演出番号は「１」が選択されることとなる。
【０１４６】
そして、選択された演出番号「１」に対応する演出番号１用中分類テーブルを用いて、内部当籤役「スイカ」に対応する演出分類および演出番号「１−１」〜「１−５」が選択される。具体的に説明すると、中分類テーブルによる抽籤により「０〜４９９９（５０００）」の範囲の数値が抽籤された場合、演出分類は「液晶表示」となり、演出番号「１−１」が選択されることとなる。
【０１４７】
続いて、選択された演出番号「１−１」に対応する演出番号１−１用小分類テーブルを用いて、内部当籤役「スイカ」に対応する演出分類「緑色の花火」および演出番号「１−１−２」が選択される。つまり、演出番号１−１用小分類テーブルにおいて内部当籤役が「スイカ」である場合には、全て演出番号１−１−２が選択されることとなり、液晶表示部２ｂに緑色の花火が打ちあがる演出が表示されて遊技者にスイカが内部当籤したことを報知する。
【０１４８】
また、図３０−１に示すように、一般遊技状態、ＲＴ２遊技状態或いはＲＴ１遊技状態でナビポイントがない場合における遊技で参照される演出選択テーブルも上記と同様に大分類テーブル、中分類テーブル、小分類テーブルの順に演出番号を選択されて、液晶表示や音による演出の種類を決定する。例えば、図３０−１に示す演出選択テーブルでは、「スイカ」が内部当籤し、大分類で演出番号「１」演出分類「成立役報知」、中分類では「液晶表示」が選択された場合に、小分類テーブルでは、「緑色の花火」が打ちあがる演出か「花火が上がらない」演出が選択される。つまり、一般遊技状態、ＲＴ２遊技状態或いはＲＴ１遊技状態でナビポイントがない場合には、内部当籤役を報知する演出が必ずしも行われるわけではない。
【０１４９】
また、図３０−２および図３０−３に示すように、例えば、「スイカ」が内部当籤し、大分類で演出番号「２」演出分類「ミニゲーム発生」が選択された場合には、演出番号「２」用中分類テーブルから演出番号「２−１」演出分類「漢字選択ゲーム」が選択される。その後、上記で説明したナビポイント付与選択テーブルによって選択された出題される漢字選択ゲームの難易度に対応する演出番号２−１用小分類テーブル（難しい、普通、簡単）を用いて、演出番号および演出分類を選択する。この２−１用小分類テーブルの演出分類として、「問題文」、「選択肢」、「答え」が決定され、「問題文」および「選択肢」が液晶表示部２ｂに表示される。
【０１５０】
［パチスロ機１の演出画面］
次にパチスロ機１の演出画面の一例について説明する。図３１および図３２は、パチスロ機１の液晶表示部２ｂに表示される演出画面の一例を説明するための説明図である。図３１−１（１）〜（３）は、ナビポイント獲得期間遊技移行時のミニゲーム発生画面表示例であり、図３１−２（４）は、内部当籤役を報知する報知画面表示例であり、図３２（１）は、ミニゲーム不正解時の画面表示例であり、図３２（２）は、ミニゲーム正解時の画面表示例である。
【０１５１】
パチスロ機１は、ポイント獲得遊技であるミニゲームに移行すると抽籤された場合には、図３１−１（１）〜（３）に示すように、ミニゲームに移行することを液晶表示部２ｂに表示する。図３１−１（１）のミニゲーム発生画面の表示例は、出題される漢字選択ゲームの難易度が「難しい」である場合の一例であり、図３１−１（２）のミニゲーム発生画面の表示例は、出題される漢字選択ゲームの難易度が「普通」である場合の一例であり、図３１−１（３）のミニゲーム発生画面の表示例は、出題される漢字選択ゲームの難易度が「簡単」である場合の一例である。
【０１５２】
また、パチスロ機１は、図３１−２（４）に示すように、ＲＴ１遊技状態であって、かつ報知ポイントがある場合には、内部当籤役を報知する。図３１−２（４）の例を用いて説明すると、パチスロ機１は、青チェリーが当籤すると、液晶表示部２ｂに青色の花火を打ち上げる演出を表示する。
【０１５３】
また、パチスロ機１は、図３２（１）に示すように、ミニゲームの漢字選択ゲームにおいて選択した回答が不正解であった場合には、不正解であることや、ナビポイントが減算される可能性がある旨を液晶表示部２ｂに表示する。一方、パチスロ機１は、図３２（２）に示すように、ミニゲームの漢字選択ゲームにおいて選択した回答が正解であった場合には、正解であることや、ナビポイントを獲得したことを液晶表示部２ｂに表示する。
【０１５４】
［パチスロ機１の主制御回路処理］
次に、図３３を用いて、実施例１に係るパチスロ機１の主制御回路処理の流れについて説明する。図３３は、実施例１に係るパチスロ機１の主制御回路処理の流れを示すフローチャートである。
【０１５５】
同図に示すように、この主制御回路７１では、まずＣＰＵ３１は、遊技開始時の初期化処理（ＲＡＭ３３の記憶内容の初期化、通信データの初期化等）を行った後に（ステップＳ１）、ゲーム終了時のＲＡＭ３３の所定の記憶内容（例えば、内部当籤役を記憶する記憶領域の記憶内容）を消去する（ステップＳ２）。具体的には、前ゲームに使用されたＲＡＭ３３の書き込み可能エリアのデータの消去、ＲＡＭ３３の書き込みエリアへの次のゲームに必要なパラメータの書き込み、次ゲームのシーケンスプログラムの開始アドレスの指定等を行う。
【０１５６】
次に、ＣＰＵ３１は、後で図３５を用いて説明するボーナス作動監視処理を行う（ステップＳ３）。この処理では、ＢＢ１作動中フラグまたはＢＢ２作動中フラグの何れかがオンである場合に、ＲＢの作動を行うか否かのチェックが行われる。その後、ＣＰＵ３１は、スタートスイッチ６Ｓ、メダルセンサ１０Ｓ又はＢＥＴスイッチ１３Ｓからの入力に基づいてＢＥＴ数を更新する等のメダル投入・スタートチェック処理（後に図３６を用いて詳述）を行ない（ステップＳ４）、内部抽籤処理（後に図３７を用いて詳述）に使用する抽籤用の乱数を抽出する（ステップＳ５）。
【０１５７】
そして、ＣＰＵ３１は、ボーナス遊技状態（ＲＢ遊技状態）又は一般遊技状態のいずれの状態であるかを監視する遊技状態監視処理を行った後（ステップＳ６）、内部抽籤処理を行う（ステップＳ７）。この処理では、乱数値格納領域に格納されている乱数値が内部抽籤テーブルに規定されている複数の数値範囲のうち何れに属するかの判別が行われ、当該判別結果に基づいて内部当籤役が決定される。
【０１５８】
次に、ＣＰＵ３１は、ＲＴ遊技数カウンタ更新処理（後に図３８を用いて詳述）を行う（ステップＳ８）。ここで、ＲＴ遊技数カウンタとは、ＲＴ作動中において行われた単位遊技の回数を計数するためのデータである。次に、ＣＰＵ３１は、スタートコマンドを副制御回路７２に対して送信する（ステップＳ９）。スタートコマンドには、内部当籤役や遊技状態などのデータが含まれている。
【０１５９】
そして、ＣＰＵ３１は、リール停止初期設定処理（後に図３９を用いて詳述）を行う（ステップＳ１０）。この処理では、各内部当籤役格納領域に基づく停止テーブルの決定等の処理が行われる。そして、ＣＰＵ３１は、前回のリール回転開始から“４．１秒”以上経過しているか否かを判定する（ステップＳ１１）。その結果、“４．１秒”以上経過していない場合には（ステップＳ１１否定）、ＣＰＵ３１は、ゲーム開始待ち時間消化の処理（ウェイト処理）を行う（ステップＳ１２）。また、これとは反対に“４．１秒”以上経過していた場合には（ステップＳ１１肯定）、ＣＰＵ３１は、そのままステップＳ１３に移行する。つまり、前回のゲームが開始してから所定時間（４．１秒）経過するまでの間は、遊技者によるゲーム開始操作を無効にしているのである。
【０１６０】
その後、ＣＰＵ３１は、遊技者の停止ボタン７Ｌ，７Ｃ，７Ｒの停止操作によらずに自動的にリール３Ｌ，３Ｃ，３Ｒを停止させるための自動停止タイマを含むゲーム監視用タイマに「４００００ｍｓ」をセットし（ステップＳ１３）、全リールの回転開始をモータ駆動回路３９に要求する（ステップＳ１４）。
【０１６１】
続いて、ＣＰＵ３１は、リール停止許可コマンドを送信して（ステップＳ１５）、リール停止制御処理（後に図４０を用いて詳述）を行う（ステップＳ１６）。この後に、ＣＰＵ３１は、図柄表示領域２１Ｌ，２１Ｃ，２１Ｒの図柄の停止態様に基づいて表示役（成立役）と払出枚数を検索するための表示役検索処理（後に図４１を用いて詳述）を行って（ステップＳ１７）、エラーチェック処理を行った後（ステップＳ１８）、表示役コマンドを送信する（ステップＳ１９）。
【０１６２】
その後、ＣＰＵ３１は、メダル払出処理を行った後（ステップＳ２０）、払出枚数に基づいてボーナス終了枚数カウンタを更新し（ステップＳ２１）、払出終了コマンドを送信する（ステップＳ２２）。ここで、ボーナス終了枚数カウンタが１以上であれば、メダルの払出枚数に応じて当該カウンタを減算する。
【０１６３】
そして、ＣＰＵ３１は、ＲＢ作動中フラグ又はＢＢ作動中フラグはオンか否かを判別する（ステップＳ２３）。その結果、ＲＢ作動中フラグ又はＢＢ作動中フラグがオンではない場合には（ステップＳ２３否定）、ＣＰＵ３１は、ボーナス作動チェック処理（後に図４２を用いて詳述）を行って（ステップＳ２４）、ステップＳ４に戻る。これとは反対に、ＲＢ作動中フラグ又はＢＢ作動中フラグがオンである場合には（ステップＳ２３肯定）、ＣＰＵ３１は、ボーナス終了チェック処理（後に図４３を用いて詳述）を行う（ステップＳ２５）。
【０１６４】
その後、リプレイ作動チェック処理を行う（ステップＳ２６）。この処理は、表示役がリプレイであるかを否かを判断し、リプレイであると判断した場合に投入枚数カウンタを自動投入カウンタに複写する処理が行われる。投入枚数カウンタは、投入枚数を計数するためのデータである。自動投入カウンタは、前回の単位遊技においてリプレイに係る図柄の組み合わせが表示されたかを識別し、前回の単位遊技における投入枚数を特定するためのデータである。このように、ＣＰＵ３１は、ステップＳ２からステップＳ２６を単位遊技における処理として実行し、ステップＳ２６が終了すると、次回の単位遊技における処理を実行すべく、ステップＳ２に戻る。
【０１６５】
［パチスロ機１の割込処理］
次に、図３４を用いて、実施例１に係るパチスロ機１の割込処理の流れについて説明する。図３４は、実施例１に係るパチスロ機１の割込処理の流れを示すフローチャートである。なお、この割込処理は、１．１１７３ｍｓ毎に定期的に行われるものである。
【０１６６】
同図に示すように、パチスロ機１のＣＰＵ３１は、まず、入力ポートのチェック処理を行う（ステップＳ２７）。具体的には、スタートレバー６の操作によるスタートスイッチ６Ｓからの入力等の有無を確認する。この後、ＣＰＵ３１は、通信データの送信処理を行った後（ステップＳ２８）、リール制御処理を行う（ステップＳ２９）。具体的には、制御対象のリールを示す情報をリール識別子として設定し、そのリールの駆動を制御する。
【０１６７】
続いて、ＣＰＵ３１は、７ＳＥＧ駆動処理を行った後（ステップＳ３０）、ランプ駆動処理を行う（ステップＳ３１）。具体的には、ゲームに賭けられているメダルの枚数に基づいてＢＥＴランプ１７ａ〜１７ｃを点灯させる。また、貯留（クレジット）されているメダルの枚数、役の入賞時のメダルの払出枚数等をクレジット表示部１９に表示させる。そして、ＣＰＵ３１は、タイマ管理処理を行う（ステップＳ３２）。なお、上記の割り込み処理が終了した後、１．１１７３ｍｓ後に再び割込処理を開始する。
【０１６８】
［パチスロ機１のボーナス作動監視処理］
次に、図３５を用いて、実施例１に係るパチスロ機１のボーナス作動監視処理の流れについて説明する。図３５は、実施例１に係るパチスロ機１のボーナス作動監視処理の流れを示すフローチャートである。
【０１６９】
同図に示すように、パチスロ機１のＣＰＵ３１は、ＢＢ１作動中フラグまたはＢＢ２作動中フラグのうちのいずれかがオンであるか否かを判別する（ステップＳ４１）。ＣＰＵ３１は、ＢＢ１作動中フラグまたはＢＢ２作動中フラグのうちのいずれもオンでないと判定された場合には（ステップＳ４１否定）、ボーナス作動監視処理は終了して図３３に示すステップＳ４に戻る。また、ＣＰＵ３１は、ＢＢ１作動中フラグまたはＢＢ２作動中フラグのうちのいずれかがオンであると判定された場合には（ステップＳ４１肯定）、ＲＢ作動中フラグがオンか否かを判別する（ステップＳ４２）。その結果、ＣＰＵ３１は、ＲＢ作動中フラグがオンである場合には（ステップＳ４２肯定）、ボーナス作動時テーブルに基づいてＲＢ作動時処理を行って（ステップＳ４３）、図３３に示すステップＳ４に戻る。また、ＣＰＵ３１は、ＲＢ作動中フラグがオンでない場合には（ステップＳ４２否定）、ＲＢ作動時処理を行わずに、図３３に示すステップＳ４に戻る。
【０１７０】
このように、ＢＢ１作動中フラグまたはＢＢ２作動中フラグのうちのいずれかがオンであればＲＢの作動が終了しても次の単位遊技において直ちにＲＢの作動が開始され、ＢＢ１またはＢＢ２が作動中であればＲＢの作動が連続的に行われる構成となっている。この処理が終了すると、ボーナス作動監視処理を終了する。
【０１７１】
［パチスロ機１のメダル投入・スタートチェック処理］
次に、図３６を用いて、実施例１に係るパチスロ機１のメダル投入・スタートチェック処理の流れについて説明する。図３６は、実施例１に係るパチスロ機１のメダル投入・スタートチェック処理の流れを示すフローチャートである。
【０１７２】
同図に示すように、まず、パチスロ機１のＣＰＵ３１は、自動投入カウンタは０であるか否かを判別する（ステップＳ５１）。この処理では、前回の単位遊技においてリプレイに係る図柄の組み合わせが表示されたか否かが判別される。ＣＰＵ３１は、自動投入カウンタが０でないと判別したときには、自動投入処理を行う（ステップＳ５２）。具体的には、自動投入カウンタを投入枚数カウンタに複写する処理が行われる。
【０１７３】
そして、ＣＰＵ３１は、メダルセンサ・ＢＥＴスイッチのチェックを行う（ステップＳ５３）。具体的には、ＣＰＵ３１は、メダルセンサ１０Ｓ又はＢＥＴスイッチ１３Ｓからの入力チェックを行う。次に、ＣＰＵ３１は、メダルが投入されたか否かを判定する（ステップＳ５４）。具体的には、メダルセンサ１０Ｓ又はＢＥＴスイッチ１３Ｓからの信号を検出したか否かによってメダルが投入されたか否かを判定する。その結果、メダルが投入されていない場合には（ステップＳ５４否定）、ステップＳ５３に戻る。
【０１７４】
また、メダルが投入されていた場合には（ステップＳ５４肯定）、ＣＰＵ３１は、投入枚数カウンタが最大値であるか否かを判別する（ステップＳ５５）。ＣＰＵ３１は、投入枚数が最大値でないと判別した場合には（ステップＳ５５否定）、投入枚数カウンタの更新を行って（ステップＳ５６）、投入枚数に応じたラインを有効化した後（ステップＳ５７）、ＢＥＴコマンドの送信を行う（ステップＳ５８）。これとは反対に、投入枚数が最大値であると判別した場合には（ステップＳ５５肯定）、ＣＰＵ３１は、クレジットカウンタを１加算する（ステップＳ５９）。クレジットカウンタは、クレジットされるメダルの枚数を計数するためのデータである。
【０１７５】
ＢＥＴコマンド送信後、ＣＰＵ３１は、スタートスイッチがオンか否かを判定する（ステップＳ６０）。その結果、スタートスイッチがオンされた場合には（ステップＳ６０肯定）、ＣＰＵ３１は、投入枚数カウンタは３であるかを判定する（ステップＳ６１）。これとは反対に、スタートスイッチがオンではない場合には（ステップＳ６０否定）、ＣＰＵ３１は、ステップＳ５４に戻る。そして、ＣＰＵ３１は、投入枚数カウンタが３である場合には（ステップＳ６１肯定）、図３３に示すステップＳ５に戻る。一方、ＣＰＵ３１は、投入枚数カウンタが３でない場合には（ステップＳ６１否定）、ステップＳ５４に戻る。
【０１７６】
［パチスロ機１の内部抽籤処理］
次に、図３７を用いて、実施例１に係るパチスロ機１の内部抽籤処理の流れについて説明する。図３７は、実施例１に係るパチスロ機１の内部抽籤処理の流れを示すフローチャートである。
【０１７７】
図３７に示すように、パチスロ機１のＣＰＵ３１は、まず、遊技状態に応じて内部抽籤処理に用いる内部抽籤テーブルを参照し、内部抽籤テーブル決定テーブルに基づいて、内部抽籤テーブルの種別と抽籤回数を決定し（ステップＳ９１）、持越役格納領域に格納されているデータが０か否か（つまり、持越役の有無）を判定する（ステップＳ９２）。
【０１７８】
その結果、持越役格納領域に格納されているデータが０でない場合には（ステップＳ９２否定）、ＣＰＵ３１は、全役の数から持越役を減算した値に変更する（ステップＳ９３）。これによって、持越役が存在するときには、ＢＢ１またはＢＢ２が重複して決定されないようになる。これとは反対に、持越役格納領域に格納されているデータが０である場合には（ステップＳ９２肯定）、ＣＰＵ３１は、抽籤回数を変更することなく、ステップＳ９１において決定した抽籤回数をそのまま採用する。
【０１７９】
続いて、ＣＰＵ３１は、抽籤回数と同じ値を当籤番号としてレジスタにセットする（ステップＳ９４）。その後、ＣＰＵ３１は、乱数値格納領域に格納されている設定値および内部抽籤テーブルに規定されている当籤番号に応じた下限値および上限値とを比較し（ステップＳ９５）、乱数値は下限値以上かつ上限値以下であるか否かを判定する（ステップＳ９６）。
【０１８０】
次に、ＣＰＵ３１は、ステップＳ９６において、乱数値が下限値以上かつ上限値以下であると判別したときには（ステップＳ９６肯定）、内部当籤役決定テーブルを参照し、当籤番号に基づいて内部当籤役および格納領域種別を決定する（ステップＳ９７）。次に、ＣＰＵ３１は、格納領域種別に基づいて内部当籤役格納領域のアドレスをセットし、内部当籤役を格納する（ステップＳ９８）。次に、ＣＰＵ３１は、ステップＳ９８の後、またはステップＳ９６において乱数値が下限値以上かつ上限値以下ではないと判断したときには、抽籤回数を１減算する（ステップＳ９９）。
【０１８１】
続いて、ＣＰＵ３１は、抽籤回数が０であるか否かを判別する（ステップＳ１００）。この結果、ＣＰＵ３１は、抽籤回数が０でないと判別した場合には（ステップＳ１００否定）、ステップＳ９４に移る。また、ＣＰＵ３１は、抽籤回数が０であると判別した場合には（ステップＳ１００肯定）、内部当籤役２格納領域と持越役格納領域の論理和を持越役格納領域に格納する（ステップＳ１０１）。次に、ＣＰＵ３１は、内部当籤役２格納領域と持越役格納領域の論理和を内部当籤役２格納領域に格納する（ステップＳ１０２）。
【０１８２】
続いて、ＣＰＵ３１は、ボーナスが内部当籤しているかを判別する（ステップＳ１０３）。この結果、ボーナスが内部当籤していない場合には（ステップＳ１０３否定）、図３３に示すステップＳ８に戻る。また、ボーナスが内部当籤している場合には（ステップＳ１０３肯定）、ＣＰＵ３１は、ＲＴ遊技数カウンタをクリアし、ＲＴ１作動中データをクリアして（ステップＳ１０４）、図３３に示すステップＳ８に戻る。
【０１８３】
［パチスロ機１のＲＴ遊技数カウンタ更新処理］
次に、図３８を用いて、実施例１に係るパチスロ機１のＲＴ遊技数カウンタ更新処理の流れについて説明する。図３８は、実施例１に係るパチスロ機１のＲＴ遊技数カウンタ更新処理の流れを示すフローチャートである。
【０１８４】
同図に示すように、パチスロ機１のＣＰＵ３１は、ＲＴ遊技数カウンタが１以上であるかを判定する（ステップＳ１２１）。その結果、ＲＴ遊技数カウンタが１以上でない場合には（ステップＳ１２１否定）、図３３に示すステップＳ９に戻る。一方。ＲＴ遊技数カウンタが１以上である場合には（ステップＳ１２１肯定）、ＣＰＵ３１は、ＲＴ遊技数カウンタを１減算し（ステップＳ１２２）、ＲＴ遊技数カウンタが０になったかを判定する（ステップＳ１２３）。その結果、ＣＰＵ３１は、ＲＴ遊技数カウンタが０でない場合には（ステップＳ１２３否定）、図３３に示すステップＳ９に戻り、ＲＴ遊技数カウンタが０である場合には（ステップＳ１２３肯定）、ＲＴ１作動中フラグをオフにした後（ステップＳ１２４）、図３３に示すステップＳ９に戻る。
【０１８５】
［パチスロ機１のリール停止初期設定処理］
次に、図３９を用いて、実施例１に係るパチスロ機１のリール停止初期設定処理の流れについて説明する。図３９は、実施例１に係るパチスロ機１のリール停止初期設定処理の流れを示すフローチャートである。
【０１８６】
同図に示すように、パチスロ機１のＣＰＵ３１は、内部当籤役格納領域に格納されている内部当籤結果に関する情報をセットし（ステップＳ１３１）、内部抽籤結果がハズレまたはボーナスであるか否かを判定する（ステップＳ１３２）。そして、ＣＰＵ３１は、内部抽籤結果がハズレまたはボーナスである場合には（ステップＳ１３２肯定）、持越役が持ち越し中であるか否かを判定する（ステップＳ１３３）。その結果、ＣＰＵ３１は、持越役を持ち越し中である場合には（ステップＳ１３３肯定）、内部当たりフラグに応じた内部抽籤結果情報をセットする（ステップＳ１３４）。
【０１８７】
ＣＰＵ３１は、Ｓ１３４の後、Ｓ１３２において内部抽籤結果がハズレまたはボーナスでない場合（ステップＳ１３２否定）、または、Ｓ１３３において持越役が持ち越し中でないと判定された（ステップＳ１３３否定）場合には、ＣＰＵ３１は、内部抽籤結果に応じた停止テーブルをセットする（ステップＳ１３５）。そして、ＣＰＵ３１は、処理実行回数として３をセットし（ステップＳ１３６）、表示役予想格納処理を行って（ステップＳ１３７）、図３３に示すステップＳ１１に戻る。ここで、表示役予想格納処理とは、滑りコマ数先の表示役を予想して取得する処理である。
【０１８８】
［パチスロ機１のリール停止制御処理］
次に、図４０を用いて、実施例１に係るパチスロ機１のリール停止制御処理の流れについて説明する。図４０は、実施例１に係るパチスロ機１のリール停止制御処理の流れを示すフローチャートである。
【０１８９】
同図に示すように、パチスロ機１のＣＰＵ３１は、有効なストップスイッチがオンされたか否か（つまり、停止スイッチ７ＬＳ，７ＳＣ，７ＲＳからの入力があるか否か）を判定する（ステップＳ１６１）。その結果、有効なストップスイッチがオンされていない場合（ステップＳ１６１否定）、ＣＰＵ３１は、自動停止タイマが０か否かを判定する（ステップＳ１６２）。これとは反対に、有効なストップスイッチがオンされている場合には（ステップＳ１６１肯定）、ＣＰＵ３１は、ステップＳ１６６に移行する。なお、この自動停止タイマは、遊技者によって既にリールのいずれか一つが停止されている場合でも他のリールを右側から自動停止制御するために用いられる。
【０１９０】
ここでステップＳ１６２の説明に戻ると、自動停止タイマが０である場合には（ステップＳ１６２肯定）、ＣＰＵ３１は、より右側のリールを停止制御の対象とする（ステップＳ１６３）。これにより、例えば、複数のリールが回転中の時には、右側のリールから自動停止する。そして、ＣＰＵ３１は、停止制御の対象となるリールが第３停止であるか否かを判定する（ステップＳ１６４）。その結果、第３停止である場合には（ステップＳ１６４肯定）、ＣＰＵ３１は、自動第３停止処理を行う（ステップＳ１６５）。
【０１９１】
続いて、ＣＰＵ３１は、図柄カウンタとストップボタンの種別に基づいて、停止テーブルから滑りコマ数を抽出し（ステップＳ１６６）、抽出された滑りコマ数と表示役予想格納処理にて決定された滑りコマ数先の表示役とを比較して内部当籤役に基づいた停止が可能な滑りコマ数であるかを決定した後（ステップＳ１６７）、各リールに停止させた図柄のリールポジションＮｏの情報を含んだリール停止コマンドを送信し（ステップＳ１６８）、滑りコマ数分、リールが回転するのを待ち（ステップＳ１６９）、リールの回転停止を要求する（ステップＳ１７０）。
【０１９２】
リールの回転停止要求後、ＣＰＵ３１は、押圧操作が有効なストップボタンがあるかを判定する（ステップＳ１７１）。その結果、押圧操作が有効なストップボタンがある場合には（ステップＳ１７１肯定）、ＣＰＵ３１は、前述した表示役予想格納処理を行って（ステップＳ１７２）、ステップＳ１６１に戻る。これとは反対に、押圧操作が有効なストップボタンがない場合には（ステップＳ１７１否定）、ＣＰＵ３１は、図３３に示すＳ１７に戻る。
【０１９３】
［パチスロ機１の表示役検索処理］
次に、図４１を用いて、実施例１に係るパチスロ機１の表示役検索処理の流れについて説明する。図４１は、実施例１に係るパチスロ機１の表示役検索処理の流れを示すフローチャートである。
【０１９４】
同図に示すように、パチスロ機１のＣＰＵ３１は、図柄格納領域の先頭アドレスをセットし、有効ラインカウンタを取得する（ステップＳ２１１）。例えば、有効ラインカウンタとして５が取得される。そして、ＣＰＵ３１は、図柄格納領域の先頭アドレスを取得し（ステップＳ２１２）、３つの図柄格納領域に格納されている図柄の組み合わせと比較する（ステップＳ２１３）。続いて、ＣＰＵ３１は、表示役検索回数は０か否かを判別する（ステップＳ２１４）。その結果、ＣＰＵ３１は、表示役検索回数が０であると判断した場合には（ステップＳ２１４肯定）、図柄組合せテーブルを参照し、決定された表示役に基づいて、払出枚数を決定し、払出枚数カウンタを更新する（ステップＳ２１５）。また、ＣＰＵ３１は、表示役検索回数が０でないと判断した場合には（ステップＳ２１４否定）、ステップＳ２１６に移行する。
【０１９５】
そして、ＣＰＵ３１は、図柄組合せテーブルのアドレスを更新して（ステップＳ２１６）、エンドコードであるかを判定する（ステップＳ２１７）。その結果、ＣＰＵ３１は、エンドコードでないと判定した場合には（ステップＳ２１７否定）、ステップＳ２１３に戻る。一方、ＣＰＵ３１は、エンドコードであると判定した場合には（ステップＳ２１７肯定）、有効ラインカウンタが０であるか否かを判定する（ステップＳ２１８）。その結果、ＣＰＵ３１は、有効ラインカウンタが０でないと判定した場合には（ステップＳ２１８否定）、有効ラインカウンタを１減算し、図柄格納領域のアドレスを更新して（ステップＳ２１９）、ステップＳ２１２に戻る。また、ＣＰＵ３１は、有効ラインカウンタが０であると判定した場合には（ステップＳ２１８肯定）、図３３のステップＳ１８に戻る。
【０１９６】
［パチスロ機１のボーナス作動チェック処理］
次に、図４２を用いて、実施例１に係るパチスロ機１のボーナス作動チェック処理の流れについて説明する。図４２は、実施例１に係るパチスロ機１のボーナス作動チェック処理の流れを示すフローチャートである。
【０１９７】
同図に示すように、パチスロ機１のＣＰＵ３１は、表示役がＢＢ１或いはＢＢ２であるか否かを判定する（ステップＳ２５１）。その結果、表示役がＢＢ或いはＲＢである場合には（ステップＳ２５１肯定）、ＣＰＵ３１は、ボーナス作動時テーブルに基づいて、作動中フラグ等をセットする（ステップＳ２５２）。そして、ＣＰＵ３１は、持越役をクリアし（ステップＳ２５３）、ボーナス開始コマンドを送信して（ステップＳ２５４）、図３３に示すステップＳ２６に戻る。
【０１９８】
ここで、ステップＳ２５１の説明に戻ると、表示役がＢＢ１及びＢＢ２でない場合には（ステップＳ２５１否定）、ＣＰＵ３１は、表示役がチェリー（青チェリー、赤チェリー、黄チェリー）であるかを判定する（ステップＳ２５５）。この結果、チェリーである場合には（ステップＳ２５５肯定）、ＣＰＵ３１は、ＲＴ１作動中（つまり、ＲＴ１作動中フラグがオン）であるかを判定する（ステップＳ２５６）。その結果、ＲＴ１作動中である場合には（ステップＳ２５６肯定）、ＲＴ遊技数カウンタおよびＲＴ１作動中データをクリアしてＲＴ２作動中フラグをオンして（ステップＳ２５７）、図３３に示すＳ２６に戻る。つまり、ＣＰＵ３１は、ＲＴ１終了役であるチェリーが表示されると、ＲＴ遊技数カウンタに記憶されたＲＴ遊技数を０に更新してＲＴ１遊技を終了させ、ＲＴ２遊技を開始させる。また、表示役がチェリーでない場合（ステップＳ２５５否定）または、ＲＴ１作動中でない場合は（ステップＳ２５６否定）、図３３示すステップＳ２６に戻る。
【０１９９】
［パチスロ機１のボーナス終了チェック処理］
次に、図４３を用いて、実施例１に係るパチスロ機１のボーナス終了チェック処理の流れについて説明する。図４３は、実施例１に係るパチスロ機１のボーナス終了チェック処理の流れを示すフローチャートである。
【０２００】
同図に示すように、パチスロ機１のＣＰＵ３１は、ＲＢ作動中フラグがオンであるか否かを判定する（ステップＳ２７１）。その結果、ＲＢ作動中フラグがオンである場合には（ステップＳ２７１肯定）、ＣＰＵ３１は、遊技可能回数を１減算し、入賞が成立したなら入賞可能回数を１減算する（ステップＳ２７２）。
【０２０１】
続いて、ＣＰＵ３１は、遊技可能回数及び入賞可能回数のうち少なくとも一方が０か否かを判定する（ステップＳ２７３）。その結果、少なくとも一方が０である場合には（ステップＳ２７３肯定）、ＣＰＵ３１は、ＲＢ終了時処理を行い（ステップＳ２７４）、ＢＢ（ＢＢ１またはＢＢ２）作動中フラグはオンであるか否か判定する（ステップＳ２７５）。
【０２０２】
また、これとは反対に、遊技可能回数及び入賞可能回数のうち少なくとも一方が０でない場合には（ステップＳ２７３否定）、ＣＰＵ３１は、ＢＢ作動中フラグはオンであるか否か判定する（ステップＳ２７５）。ここで、ステップＳ２７１の説明に戻ると、ＲＢ作動中フラグがオンでない場合には（ステップＳ２７１否定）、同様に、ＣＰＵ３１は、ＢＢ作動中フラグはオンであるか否か判定する（ステップＳ２７５）。
【０２０３】
その結果、ＣＰＵ３１は、ＢＢ作動中フラグはオンでない場合には（ステップＳ２７５否定）、図３３に示すステップＳ２６に戻る。一方、ＣＰＵ３１は、ＢＢ作動中フラグはオンである場合には（ステップＳ２７５肯定）、払出可能枚数は１以上であるか否かを判定する（ステップＳ２７６）。
【０２０４】
その結果、払出可能枚数が１以上である場合には（ステップＳ２７６肯定）、ＣＰＵ３１は、図３３に示すステップＳ２６に戻る。これとは反対に、払出可能枚数が１以上でない場合には（ステップＳ２７６否定）、ＣＰＵ３１は、ＢＢ終了時処理（なお、ＲＢ作動中フラグがオンの場合には、ＲＢ終了処理）を行い（ステップＳ２７７）、ＢＢ作動中フラグ及びＲＢ作動中フラグをオフにする。そして、ＣＰＵ３１は、ＲＴ１作動中フラグをオンにし、ＢＢ１終了時である場合には、ＲＴ遊技数カウンタに１５００をセットし、ＢＢ２終了時である場合には、ＲＴ遊技数カウンタに１０００をセットして（ステップＳ２７８）、図３３に示すステップＳ２６に戻る。
【０２０５】
［パチスロ機１のサブ制御処理］
次に、図４４を用いて、実施例１に係るパチスロ機１のサブ制御処理の流れについて説明する。図４４は、実施例１に係るパチスロ機１のサブ制御処理の流れを示すフローチャートである。なお、このサブ制御処理は、スタートレバーのＯＮを契機に、内部抽籤処理等の処理終了からリール回転開始までの間に送られる。
【０２０６】
同図に示すように、パチスロ機１の副制御回路７２は、主制御回路７１から入力されるコマンドを監視する（ステップＳ２８０）。具体的には、副制御回路７２は、スタートレバーのＯＮを契機に、内部抽籤処理等の処理終了からリール回転開始までの間に送られてくるコマンドの入力を監視する。そして、副制御回路７２は、入力されたコマンドを処理するコマンド入力処理（後に、図４５を用いて詳述）を行う（ステップＳ２８１）。続いて、副制御回路７２は、液晶表示装置１３１に画像描写を行う旨のコマンドを出力する処理行った後（ステップＳ２８２）、画像描画処理（後に、図５２を用いて詳述）を行う（ステップＳ２８３）。
【０２０７】
そして、副制御回路７２は、ＶＤＰカウンタが“２”であるか否かを判定する（ステップＳ２８４）。具体的には、副制御回路７２は、カウントされているＶＤＰカウンタからＶＤＰカウンタ値を読み出し、“２”以上であるか否かを判定する。つまり、１／６０ｓ毎にＶＤＰカウンタが“１”増加するため、副制御回路７２は、１／３０ｓ経過したか否かを判断することとなる。
【０２０８】
ここで、ＶＤＰカウンタが“２”以上ではないと判定された場合には（ステップＳ２８４否定）、副制御回路７２は、本サブルーチンを終了するが、これとは反対に、ＶＤＰカウンタが“２”以上であると判定された場合には（ステップＳ２８４肯定）、副制御回路７２は、ＶＤＰカウンタに“０”をセットし（ステップＳ２８５）、さらに、バンク切替指示を表示制御回路２５０に供給して（ステップＳ２８６）、本サブルーチンを終了する。
【０２０９】
［パチスロ機１のコマンド入力処理］
次に、図４５を用いて、実施例１に係るパチスロ機１のコマンド入力処理の流れについて説明する。図４５は、実施例１に係るパチスロ機１のコマンド入力処理の流れを示すフローチャートである。
【０２１０】
同図に示すように、パチスロ機１の副制御回路７２は、未処理コマンドがあるかを判定し（ステップＳ２９１）、この結果、未処理コマンドがない場合には（ステップＳ２９１否定）、図４４に示すステップＳ２８２に戻る。また、副制御回路７２は、未処理コマンドがある場合には（ステップＳ２９１肯定）、遊技データ格納アドレスをセットし（ステップＳ２９２）、ジャンプテーブルを参照して、コマンド種別に応じたジャンプ処理（後に、図４６を用いて詳述）を行う（ステップＳ２９３）。そして、副制御回路７２は、コマンドを処理済にセットして（ステップＳ２９４）、図４４に示すステップＳ２８２に戻る。
【０２１１】
［パチスロ機１のコマンド種別に応じたジャンプ処理］
次に、図４６を用いて、実施例１に係るパチスロ機１のコマンド種別に応じたジャンプ処理の流れについて説明する。図４６は、実施例１に係るパチスロ機１のコマンド種別に応じたジャンプ処理の流れを示すフローチャートである。
【０２１２】
同図に示すように、パチスロ機１の副制御回路７２は、未処理コマンドがあるか判定し（ステップＳ３０１）、その結果、未処理コマンドがない場合には（ステップＳ３０１否定）、図４５に示すステップＳ２９４に戻る。また、副制御回路７２は、未処理コマンドがある場合に（ステップＳ３０１肯定）、その未処理コマンドが０４Ｈ（遊技開始コマンド）であるかを判定する（ステップＳ３０２）。その結果、未処理コマンドが０４Ｈである場合には（ステップＳ３０２肯定）、演出関連処理（後に、図４７を用いて詳述）を行って（ステップＳ３０３）、図４５に示すステップＳ２９４に戻る。
【０２１３】
また、ステップＳ３０２に戻って説明すると、未処理コマンドが０４Ｈでない場合には（ステップＳ３０２否定）、副制御回路７２は、未処理コマンドが０５Ｈ（回胴停止コマンド）であるかを判定する（ステップＳ３０４）。その結果、未処理コマンドが０５Ｈである場合には（ステップＳ３０４肯定）、副制御回路７２は、ミニゲーム発生期間であるか否かを判定する（ステップＳ３０５）。その結果、ミニゲーム発生期間でない場合には（ステップＳ３０５否定）、図４５に示すステップＳ２９４に戻る。また、副制御回路７２は、ミニゲーム発生期間である場合には（ステップＳ３０５肯定）、ミニゲーム結果判定処理（後に、図４８を用いて詳述）を行った後（ステップＳ３０６）、図４５に示すステップＳ２９４に戻る。
【０２１４】
また、ステップＳ３０４に戻って説明すると、未処理コマンドが０５Ｈである場合には（ステップＳ３０４肯定）、副制御回路７２は、未処理コマンドが０７Ｈ（表示役成立コマンド）であるか否かを判定する（ステップＳ３０７）。その結果、副制御回路７２は、未処理コマンドが０７Ｈ（表示役成立コマンド）であると判定した場合には（ステップＳ３０７肯定）、ポイント関連処理（後に、図４９を用いて詳述）を行って、図４５に示すステップＳ２９４に戻る。
【０２１５】
一方、副制御回路７２は、未処理コマンドが０７Ｈ（表示役成立コマンド）でないと判定した場合には（ステップＳ３０７否定）、未処理コマンドが０９Ｈ（遊技状態変更コマンド）であるか否かを判定する（ステップＳ３０９）。その結果、副制御回路７２は、未処理コマンドが０９Ｈ（遊技状態変更コマンド）でないと判定した場合には（ステップＳ３０９否定）、受信したコマンドに応じた処理を行った後、図４５に示すステップＳ２９４に戻る。
【０２１６】
一方、副制御回路７２は、未処理コマンドが０９Ｈであると判定した場合には（ステップＳ３０９肯定）、ミニゲーム正解率算出処理（後に図５０を用いて詳述）を行い（ステップＳ３１０）、難易度選択処理（後に図５１を用いて詳述）を行って（ステップＳ３１１）、ボーナス種別に応じた、ＲＴ遊技数カウンタをセットする（ステップＳ３１２）。つまり、メインでセットされているＲＴ遊技数カウンタと同様に、ＢＢ１が終了した場合には、ＲＴ１遊技状態が継続する遊技数として１５００を、またＢＢ２が終了した場合には、ＲＴ１遊技状態が継続する遊技数として１０００をＲＴ遊技数カウンタにセットする。
【０２１７】
［パチスロ機１の演出関連処理］
次に、図４７を用いて、実施例１に係るパチスロ機１の演出関連処理の流れについて説明する。図４７は、実施例１に係るパチスロ機１の演出関連処理の流れを示すフローチャートである。
【０２１８】
同図に示すように、パチスロ機１の副制御回路７２は、ボーナスが内部当籤しているか否かを判定し（ステップＳ３２１）、ボーナスが内部当籤していると判定された場合には（ステップＳ３２１肯定）、ポイントカウンタを参照する（ステップＳ３２２）。一方、副制御回路７２は、ボーナスが内部当籤していると判定されなかった場合には（ステップＳ３２１否定）、ステップＳ３２３に移行する。
【０２１９】
そして、副制御回路７２は、ＲＴ遊技数カウンタがオンであるかを判定し（ステップＳ３２３）、その結果、副制御回路７２は、ＲＴ遊技数カウンタがオンでない場合には（ステップＳ３２３否定）、一般遊技状態用の演出選択テーブルに従い、内部当籤役等に応じた演出データを決定して（ステップＳ３２６）、ミニゲーム発生に当籤したか否かを判定する（ステップＳ３２７）。そして、副制御回路７２は、ミニゲームに当籤していないと判定した場合には（ステップＳ３２７否定）、図４５に示すステップＳ２９４に戻る。一方、副制御回路７２は、ミニゲームに当籤していると判定した場合には（ステップＳ３２７肯定）、ミニゲーム発生回数カウンタに「１」を加算し（ステップＳ３２８）、選択された難易度に対応するポイント付与選択テーブルをセットして付与ポイントを決定し、難易度に対応するミニゲームの内容を決定する（ステップＳ３２９）。
【０２２０】
ここで、ステップＳ３２３に戻ると、副制御回路７２は、ＲＴ遊技数カウンタがオンである場合には（ステップＳ３２３肯定）、ナビポイントが１以上であるかを判定する（ステップＳ３２４）。ナビポイントが１以上でない場合には（ステップＳ３２４否定）、副制御回路７２は、上記と同様に、一般遊技状態用の演出選択テーブルに従い、内部当籤役等に応じた演出データを決定する（ステップＳ３２６）。一方、ナビポイントが１以上である場合には（ステップＳ３２４肯定）、副制御回路７２は、ＲＴ１遊技状態用の演出選択テーブルに従い、内部当籤役等に応じた演出データを決定して（ステップＳ３２５）、図４５に示すステップＳ２９４に戻る。
【０２２１】
［パチスロ機１のミニゲーム結果判定処理］
次に、図４８を用いて、実施例１に係るパチスロ機１のミニゲーム結果判定処理の流れについて説明する。図４８は、実施例１に係るパチスロ機１のミニゲーム結果判定処理の流れを示すフローチャートである。
【０２２２】
同図に示すように、パチスロ機１の副制御回路７２は、決定されたミニゲーム演出データの演出番号を取得し（ステップＳ３３１）、第一停止操作が左リールであるか否かを判定する（ステップＳ３３２）。その結果、副制御回路７２は、第一停止操作が左リールであると判定した場合には（ステップＳ３３２肯定）、演出選択テーブル小分類の演出番号が対応するか否かを判定する（ステップＳ３３３）。つまり、ミニゲームによる遊技者の回答が正解であるか否かを判定する。
【０２２３】
その結果、副制御回路７２は、演出選択テーブル小分類の演出番号が対応する場合には（ステップＳ３３３肯定）、ミニゲーム成功回数カウンタに「１」を加算するとともに、セットされている難易度に対応する付与ポイントをポイント付与テーブルにより決定し、その決定された付与ポイントをナビポイントカウンタに加算する（ステップＳ３３４）。つまり、副制御回路７２は、ミニゲームに正解した場合には、難易度に応じて、ナビポイントを付与する。
【０２２４】
ここで、ステップＳ３３２に戻って説明すると、副制御回路７２は、第一停止操作が左リールでないと判定した場合には（ステップＳ３３２否定）、第一停止操作が中リールであるか否かを判定する（ステップＳ３３５）。その結果、副制御回路７２は、第一停止操作が中リールであると判定した場合には（ステップＳ３３５肯定）、演出選択テーブル小分類の演出番号が対応するか否かを判定する（ステップＳ３３６）。
【０２２５】
その結果、副制御回路７２は、演出選択テーブル小分類の演出番号が対応する場合には（ステップＳ３３６肯定）、ミニゲーム成功回数カウンタに「１」を加算するとともに、セットされている難易度に対応する付与ポイントをポイント付与テーブルにより決定し、その決定された付与ポイントをナビポイントカウンタに加算する（ステップＳ３３７）。
【０２２６】
ここで、ステップＳ３３５に戻って説明すると、副制御回路７２は、第一停止操作が中リールでないと判定した場合には（ステップＳ３３５否定）、第一停止操作が右リールであるか否かを判定する（ステップＳ３３８）。その結果、副制御回路７２は、第一停止操作が右リールであると判定した場合には（ステップＳ３３８肯定）、演出選択テーブル小分類の演出番号が対応するか否かを判定する（ステップＳ３３９）。
【０２２７】
その結果、副制御回路７２は、演出選択テーブル小分類の演出番号が対応する場合には（ステップＳ３３９肯定）、ミニゲーム成功回数カウンタに「１」を加算するとともに、セットされている難易度に対応する付与ポイントをポイント付与テーブルにより決定し、その決定された付与ポイントをナビポイントカウンタに加算する（ステップＳ３４０）。その後、取得した演出番号をクリアして（ステップＳ３４３）、図４６に示すステップＳ３１１に戻る。
【０２２８】
また、副制御回路７２は、演出選択テーブル小分類の演出番号が対応しない場合には（ステップＳ３３３否定、ステップＳ３３６否定、ステップＳ３３９否定）、または、ステップＳ３３４およびステップＳ３３７の後、ミニゲームの回答が不正解であったかを判定し（ステップＳ３４１）、ミニゲームの回答が不正解であった場合には（ステップＳ３４１肯定）、ナビポイントカウンタが０より大きい場合、ナビポイント減算テーブルに従い、対応するポイントを減算し（ステップＳ３４２）、取得した演出番号をクリアして（ステップＳ３４３）、図４６に示すステップＳ３１１に戻る。一方、副制御回路７２は、ミニゲームの回答が不正解でなかった場合には（ステップＳ３４１否定）、そのまま取得した演出番号をクリアして（ステップＳ３４３）、図４６に示すステップＳ３１１に戻る。
【０２２９】
［パチスロ機１のポイント関連処理］
次に、図４９を用いて、実施例１に係るパチスロ機１のポイント関連処理の流れについて説明する。図４９は、実施例１に係るパチスロ機１のポイント関連処理の流れを示すフローチャートである。
【０２３０】
同図に示すように、パチスロ機１の副制御回路７２は、表示役がチェリーであるか否かを判定し（ステップＳ３５１）、表示役がチェリーでない場合には（ステップＳ３５１否定）、図４５に示すステップＳ２９４に戻る。一方、副制御回路７２は、表示役がチェリーである場合には（ステップＳ３５１肯定）、ＲＴ遊技数カウンタが「１」以上であるか否かを判定し（ステップＳ３５２）、ＲＴ遊技数カウンタが「１」以上でない場合には（ステップＳ３５２否定）、図４５に示すステップＳ２９４に戻る。
【０２３１】
一方、副制御回路７２は、ＲＴ遊技数カウンタが「１」以上である場合には（ステップＳ３５２肯定）、ナビポイントカウンタの値を「０」に更新し（ステップＳ３５３）、通常画面の演出データをセットする（ステップＳ３５４）。
【０２３２】
［パチスロ機１のミニゲーム正解率算出処理］
次に、図５０を用いて、実施例１に係るパチスロ機１のミニゲーム正解率算出処理の流れについて説明する。図５０は、実施例１に係るパチスロ機１のミニゲーム正解率算出処理の流れを示すフローチャートである。
【０２３３】
同図に示すように、パチスロ機１の副制御回路７２は、ミニゲーム発生回数カウンタの値とミニゲーム成功回数カウンタの値とを取得する（ステップＳ３６１）。そして、副制御回路７２は、ミニゲーム発生回数カウンタの値とミニゲーム成功回数カウンタの値とを基に、正解率を算出する（ステップＳ３６２）。具体的には、副制御回路７２は、ミニゲーム発生回数カウンタの値に対するミニゲーム成功回数カウンタの値の割合（パーセント）がいくつであるかをミニゲーム正解率として算出する。
【０２３４】
［パチスロ機１の難易度選択処理］
次に、図５１を用いて、実施例１に係るパチスロ機１の難易度選択処理の流れについて説明する。図５１は、実施例１に係るパチスロ機１の難易度選択処理の流れを示すフローチャートである。
【０２３５】
同図に示すように、パチスロ機１の副制御回路７２は、ミニゲーム正解率算出処理にて算出された正解率を取得し（ステップＳ３７１）、その取得された正解率に対応するべきナビポイント付与選択テーブルの難易度を決定し、セットする（ステップＳ３７２）。
【０２３６】
［パチスロ機１の画像描画処理］
次に、図５２を用いて、実施例１に係るパチスロ機１の画像描画処理の流れについて説明する。図５２は、実施例１に係るパチスロ機１の画像描画処理の流れを示すフローチャートである。
【０２３７】
同図に示すように、パチスロ機１の副制御回路７２は、遊技開始コマンド処理において決定された各種演出データを取得する（ステップＳ３８１）。そして、副制御回路７２は、取得した各種演出データをＶＤＰに送信して遊技演出画面を表示し（ステップＳ３８２）、図４４に示すＳ２８４に戻る。
【０２３８】
[実施例１の効果]
上述してきたように、パチスロ機１は、多様なＲＴ遊技状態を有し、所定の条件に応じて、遊技状態が変化する結果、新たな面白みのある遊技性を提供することが可能である。
【実施例２】
【０２３９】
さて、これまで本発明の実施例について説明したが、本発明は上述した実施例以外にも、種々の異なる形態にて実施されてよいものである。そこで、以下では実施例２として本発明に含まれる他の実施例を説明する。
【０２４０】
（１）本発明の対象
上記の実施例１では、予め設定された所定の５ラインが固定的に有効ラインとなるパチスロ機に本発明を適用する実施例について説明したが、本発明はこれに限定されるものではなく、如何なる有効ライン数を有するパチスロ機でも本発明を同様に適用することができる。
【０２４１】
また、上記の実施例１では、本発明を機械的回転リールを有するパチスロ機に適用する実施例について説明したが、本発明はこれに限定されるものではなく、電気的回転リールを有するパチスロ機であっても本発明を同様に適用することができる。
【産業上の利用可能性】
【０２４２】
以上のように、本発明に係る遊技機は、多様なＲＴ遊技状態を有し、所定の条件に応じて、遊技状態が変化するとともに、特別遊技状態の種別に応じて高確率遊技状態の継続する回数も異なる結果、新たな面白みのある遊技性を提供することに適する。
【図面の簡単な説明】
【０２４３】
【図１】実施例１に係るパチスロ機１の概要および特徴を説明するための図である。
【図２】実施例１に係るパチスロ機１の外観構成を示す斜視図である。
【図３】実施例１に係るパチスロ機１のパネル表示部２ａ及び液晶表示部２ｂを説明するための説明図である。
【図４】実施例１に係るパチスロ機１のリール３Ｌ，３Ｃ，３Ｒ上に表される図柄の一例を示す図である。
【図５】実施例１に係るパチスロ機１の内部構成を示すブロック図である。
【図６】実施例１に係るパチスロ機１の副制御回路７２の回路構成を示すブロック図である。
【図７】実施例１においてパチスロ機１が採用する図柄配置テーブルの一例を示す図である。
【図８】実施例１においてパチスロ機１が採用する内部抽籤テーブル決定テーブルの一例を示す図である
【図９】実施例１においてパチスロ機１が採用する内部抽籤テーブル（ＢＥＴ数：３）の一例を示す図である。
【図１０】実施例１においてパチスロ機１が採用する内部当籤役決定テーブルの一例を示す図である。
【図１１】実施例１においてパチスロ機１が採用する内部当籤役１の格納領域の一例を示す図である。
【図１２】実施例１においてパチスロ機１が採用する内部当籤役２の格納領域の一例を示す図である。
【図１３】実施例１においてパチスロ機１が採用する持越役の格納領域の一例を示す図である。
【図１４】実施例１においてパチスロ機１が採用する作動中フラグの格納領域の一例を示す図である。
【図１５】実施例１においてパチスロ機１が採用する遊技状態の格納領域の一例を示す図である。
【図１６】実施例１に係るパチスロ機１の役と図柄組合せと払出枚数との関係を説明するための説明図である。
【図１７】実施例１においてパチスロ機１が採用するボーナス作動時テーブルの一例を示す図である。
【図１８】実施例１においてパチスロ機１が採用する停止テーブル決定テーブルの一例を示す図である。
【図１９】実施例１においてパチスロ機１が採用する図柄格納領域の一例を示す図である。
【図２０】実施例１においてパチスロ機１が採用する赤チェリー用停止テーブルの構成例を示す図である。
【図２１】実施例１においてパチスロ機１が採用する青チェリー用停止テーブルの構成例を示す図である。
【図２２】実施例１においてパチスロ機１が採用する黄チェリー用停止テーブルの構成例を示す図である。
【図２３】実施例１においてパチスロ機１が採用するスイカ用停止テーブルの構成例を示す図である。
【図２４】スイカ内部当籤時のリール停止制御による停止表示の一例を説明するための図である。
【図２５】副制御回路７２のジャンプテーブルの一例を説明するための説明図である。
【図２６】副制御回路７２の難易度選択テーブルの一例を説明するための説明図である。
【図２７】副制御回路７２の難易度に対応するナビポイント付与選択テーブルの一例を説明するための説明図である。
【図２８】副制御回路７２のポイント減算テーブルの一例を説明するための説明図である。
【図２９】副制御回路７２の演出選択テーブルの一例を説明するための説明図である。
【図３０−１】副制御回路７２の演出選択テーブルの一例を説明するための説明図である。
【図３０−２】副制御回路７２の演出選択テーブルの一例を説明するための説明図である。
【図３０−３】副制御回路７２の演出選択テーブルの一例を説明するための説明図である。
【図３１−１】パチスロ機１の液晶表示部２ｂに表示される演出画面の一例を説明するための説明図である。
【図３１−２】パチスロ機１の液晶表示部２ｂに表示される演出画面の一例を説明するための説明図である。
【図３２】パチスロ機１の液晶表示部２ｂに表示される演出画面の一例を説明するための説明図である。
【図３３】実施例１に係るパチスロ機１の主制御回路処理の流れを示すフローチャートである。
【図３４】実施例１に係るパチスロ機１の割込処理の流れを示すフローチャートである。
【図３５】実施例１に係るパチスロ機１のパチスロ機１のボーナス作動監視処理の流れを示すフローチャートである。
【図３６】実施例１に係るパチスロ機１のメダル投入・スタートチェック処理の流れを示すフローチャートである。
【図３７】実施例１に係るパチスロ機１の内部抽籤処理の流れを示すフローチャートである。
【図３８】実施例１に係るパチスロ機１のＲＴ遊技数カウンタ更新処理の流れを示すフローチャートである。
【図３９】実施例１に係るパチスロ機１のリール停止初期設定処理の流れを示すフローチャートである。
【図４０】実施例１に係るパチスロ機１のリール停止制御処理の流れを示すフローチャートである。
【図４１】実施例１に係るパチスロ機１の表示役検索処理の流れを示すフローチャートである。
【図４２】実施例１に係るパチスロ機１のボーナス作動チェック処理の流れを示すフローチャートである。
【図４３】実施例１に係るパチスロ機１のボーナス終了チェック処理の流れを示すフローチャートである。
【図４４】実施例１に係るパチスロ機１のサブ制御処理の流れを示すフローチャートである。
【図４５】実施例１に係るパチスロ機１のコマンド入力処理の流れを示すフローチャートである。
【図４６】実施例１に係るパチスロ機１のコマンド種別に応じたジャンプ処理の流れを示すフローチャートである。
【図４７】実施例１に係るパチスロ機１の演出関連処理の流れを示すフローチャートである。
【図４８】実施例１に係るパチスロ機１のミニゲーム結果判定処理の流れを示すフローチャートである。
【図４９】実施例１に係るパチスロ機１のポイント関連処理の流れを示すフローチャートである。
【図５０】実施例１に係るパチスロ機１のミニゲーム正解率算出処理の流れを示すフローチャートである。
【図５１】実施例１に係るパチスロ機１の難易度選択処理の流れを示すフローチャートである。
【図５２】実施例１に係るパチスロ機１の画像描画処理の流れを示すフローチャートである。
【符号の説明】
【０２４４】
１  パチスロ機
２  前面ドア
２ｂ  液晶表示部
３Ｌ，３Ｃ，３Ｒ  リール
６  スタートレバー
７Ｌ，７Ｃ，７Ｒ  停止ボタン
２１Ｌ，２１Ｃ，２１Ｒ  図柄表示領域
３０  マイクロコンピュータ
３１  ＣＰＵ（Central Processing Unit）
３２  ＲＯＭ（Read Only Memory）
３３  ＲＡＭ（Random Access Memory）
７１  主制御回路
７２  副制御回路
８３  プログラムＲＯＭ
８４  ワークＲＡＭ
【図１】
2008206706.tif 000003
【図２】
2008206706.tif 000004
【図３】
2008206706.tif 000005
【図４】
2008206706.tif 000006
【図５】
2008206706.tif 000007
【図６】
2008206706.tif 000008
【図７】
2008206706.tif 000009
【図８】
2008206706.tif 000010
【図９】
2008206706.tif 000011
【図１０】
2008206706.tif 000012
【図１１】
2008206706.tif 000013
【図１２】
2008206706.tif 000014
【図１３】
2008206706.tif 000015
【図１４】
2008206706.tif 000016
【図１５】
2008206706.tif 000017
【図１６】
2008206706.tif 000018
【図１７】
2008206706.tif 000019
【図１８】
2008206706.tif 000020
【図１９】
2008206706.tif 000021
【図２０】
2008206706.tif 000022
【図２１】
2008206706.tif 000023
【図２２】
2008206706.tif 000024
【図２３】
2008206706.tif 000025
【図２４】
2008206706.tif 000026
【図２５】
2008206706.tif 000027
【図２６】
2008206706.tif 000028
【図２７】
2008206706.tif 000029
【図２８】
2008206706.tif 000030
【図２９】
2008206706.tif 000031
【図３０−１】
2008206706.tif 000032
【図３０−２】
2008206706.tif 000033
【図３０−３】
2008206706.tif 000034
【図３１−１】
2008206706.tif 000035
【図３１−２】
2008206706.tif 000036
【図３２】
2008206706.tif 000037
【図３３】
2008206706.tif 000038
【図３４】
2008206706.tif 000039
【図３５】
2008206706.tif 000040
【図３６】
2008206706.tif 000041
【図３７】
2008206706.tif 000042
【図３８】
2008206706.tif 000043
【図３９】
2008206706.tif 000044
【図４０】
2008206706.tif 000045
【図４１】
2008206706.tif 000046
【図４２】
2008206706.tif 000047
【図４３】
2008206706.tif 000048
【図４４】
2008206706.tif 000049
【図４５】
2008206706.tif 000050
【図４６】
2008206706.tif 000051
【図４７】
2008206706.tif 000052
【図４８】
2008206706.tif 000053
【図４９】
2008206706.tif 000054
【図５０】
2008206706.tif 000055
【図５１】
2008206706.tif 000056
【図５２】
2008206706.tif 000057